(57)【要約】【課題】  光ファイバ（１１０６）の一部がインターフェース装置（１１０３）内に収容されている光ファイバの端面（１１０４）を清浄するための清浄装置（１１００）を提供する。【解決手段】  この清浄装置は、インターフェース装置により受入れられるインターフェース部分（１１２４）を備えたハウジング（１１１４）を有している。更に、清浄装置は、ハウジング内に少なくとも部分的に配置された流体分配組立体（１１１６）を有しており、インターフェース部分がインターフェース装置により受入れられると、流体分配組立体の少なくとも一部（１１１２）が端面に係合する。この流体分配組立体は、端面上の汚染物の除去を助けるために、インターフェース部分がインターフェース装置により受入れられると、流体および溶媒を端面上に送出すように作動可能である。
2005533293.tif 000002
【特許請求の範囲】
【請求項１】
光ファイバの一部がインターフェース装置内に収容されている、光ファイバの端面を清浄するための清浄装置であって、
（a）前記インターフェース装置により受入れられるようになっているインターフェース部分を有するハウジングと、
（ｂ）前記ハウジング内に少なくとも部分的に配置された第１のノズルと、を具備しており、前記第１のノズルは、端面上の汚染物の除去を助けるために、前記ハウジングのインターフェース部分がインターフェース装置により受入れられると、加圧ガスおよび溶媒を光ファイバの端面上に送出すように作動可能である、清浄装置。
【請求項２】
前記インターフェース装置は、整合スリーブと、隔壁アダプタとを備えており、前記整合スリーブは、前記隔壁アダプタ内に配置されており、そして光ファイバの端面を収容している、請求項１に記載の清浄装置。
【請求項３】
インターフェース装置内に放出された加圧流体および溶媒を除去するための、ハウジングを通る排気通路を更に具備している、請求項１に記載の清浄装置。
【請求項４】
前記排気通路は、ハウジングの内壁部により少なくとも部分的に規定されている、請求項３に記載の清浄装置。
【請求項５】
前記溶媒は、炭化水素と、テルペンとの混合物で構成されている液体である、請求項１に記載の清浄装置。
【請求項６】
前記溶媒は、脂肪族石油溶媒と、単環状テルペンとの混合物で構成されている液体である、請求項１に記載の清浄装置。
【請求項７】
前記ハウジング内に少なくとも部分的に配置され、加圧ガスを分配するように作動可能である第２のノズルを更に具備している、請求項１に記載の清浄装置。
【請求項８】
前記第２のノズルからの加圧ガスの流れは、溶媒をベンチュリ効果により第１のノズルを通して吸入するように作用可能である、請求項７に記載の清浄装置。
【請求項９】
前記第２のノズルの遠位端部は、前記第１のノズルで終わっている、請求項８に記載の清浄装置。
【請求項１０】
顕微鏡受入れ孔を更に具備しており、前記顕微鏡受入れ孔は、前記ハウジングのインターフェース部分がインターフェース装置により受入れられると、光ファイバの端面を点検するための顕微鏡を選択的に受入れるように作用可能である、請求項１に記載の清浄装置。
【請求項１１】
前記ハウジングに取付けられた顕微鏡を更に具備しており、前記顕微鏡は、端面を検分するのに適している、請求項１に記載の清浄装置。
【請求項１２】
前記ハウジングのインターフェース部分がインターフェース装置により受入れられると、光ファイバの端面を点検するための顕微鏡を選択的に受入れるように作用可能である顕微鏡受入れ孔と、
コネクタ内に放出された加圧ガスおよび溶媒を除去するための、前記ハウジングを通る排気通路と、を更に具備している、請求項１に記載の清浄装置。
【請求項１３】
前記顕微鏡受入れ孔は、排気通路と第１および第２のノズルとの間に配置されている、請求項１２に記載の清浄装置。
【請求項１４】
前記第１のノズルの遠位端部は、前記ハウジングのインターフェース部分がインターフェース装置により受入れられると、光ファイバの端面から約０．０６３５ｃｍ（０．０２５インチ）ないし０．５０８ｃｍ（０．２０インチ）のところに位置決めされる、請求項１に記載の清浄装置。
【請求項１５】
前記ハウジング内に配置されていて、前記ハウジングのインターフェース部分がインターフェース装置により受入れられると、端面に近接して位置決めされるバッフルを更に具備しており、前記バッフルは加圧ガスを端面上に向けるようになっている、請求項１に記載の清浄装置。
【請求項１６】
前記バッフルは、これが加圧ガスを端面上に選択的に向けるために端面に近接して位置決めされる第１の位置と、バッフルが端面上に対して引っ込められた位置にある第２の位置との間で作動可能である、請求項１５に記載の清浄装置。
【請求項１７】
端面に近接した方の前記バッフルの端部は、加圧ガスを端面の面取り部の中に向けるように輪郭決めされている、請求項１５に記載の清浄装置。
【請求項１８】
前記バッフルは、前記インターフェース装置内に少なくとも部分的に配置された整合スリーブに係合するための複数のガイド部材を備えている、請求項１５に記載の清浄装置。
【請求項１９】
第１のノズルは、更に、溶媒の表面張力を増大するために化学薬品を端面上への送出すように作動可能である、請求項１に記載の清浄装置。
【請求項２０】
前記インターフェース部分の少なくとも一部が、第２の別の形状のインターフェース部分の少なくとも一部との交換のために選択的に取外し可能である、請求項１に記載の清浄装置。
【請求項２１】
光ファイバの端面を清浄するための清浄装置であって、
（a）端面に近接して位置決めされるようになっているインターフェース部分と、
（ｂ）前記インターフェース部分内に少なくとも部分的に配置されていて、溶媒を分配するようになっている第１のノズルと、
（ｃ）前記インターフェース部分内に少なくとも部分的に配置されている第２のノズルと、を具備しており、前記第２のノズルは、光ファイバの端面上に存在する汚染物の除去を助けるために加圧流体を光ファイバの端面上に送出すように作動可能であり、更に、前記第１のノズルは、溶媒が加圧流体と混合するように溶媒を分配する、光ファイバの端面を清浄するための清浄装置。
【請求項２２】
端面上に向けられた加圧流体および溶媒を除去するための、前記ハウジングを通る排気通路を更に具備している、請求項２１に記載の清浄装置。
【請求項２３】
前記溶媒は、炭化水素とテルペンとの混合物で構成されている液体である、請求項２１に記載の清浄装置。
【請求項２４】
前記溶媒は、脂肪族石油と単環状テルペンとの混合物で構成されている液体である、請求項２１に記載の清浄装置。
【請求項２５】
前記第２のノズルの遠位端部が、前記第１のノズル内で終わっている、請求項２１に記載の清浄装置。
【請求項２６】
前記第２のノズルからの加圧流体の流れは、ベンチュリ効果により溶媒を第１のノズルを通して吸入するように作用可能である、請求項２５に記載の清浄装置。
【請求項２７】
顕微鏡受入れ孔を更に具備しており、前記顕微鏡受入れ孔は、光ファイバの端面を点検するための顕微鏡を選択的に受入れるようになっている、請求項２１に記載の清浄装置。
【請求項２８】
連結された顕微鏡を更に具備しており、前記顕微鏡は、光ファイバの端面を検分するのに適している、請求項２１に記載の清浄装置。
【請求項２９】
光ファイバの端面を点検するための顕微鏡を選択的に受入れるように作用可能である顕微鏡受入れ孔と、
前記第１および第２のノズルから放出された加圧ガスおよび溶媒を除去するための、前記ハウジングを通っている排気通路と、を更に具備している、請求項２１に記載の清浄装置。
【請求項３０】
前記顕微鏡受入れ孔は、前記排気通路と前記第１および第２のノズルとの間に配置されている、請求項２９に記載の清浄装置。
【請求項３１】
前記第１のノズルの遠位端部は、前記ハウジングのインターフェース部分がインターフェース装置により受入れられると、端面から約０．０６３５ｃｍ（０．０２５インチ）ないし０．５０８ｃｍ（０．２０インチ）のところに位置決めされる、請求項２１に記載の清浄装置。
【請求項３２】
加圧流体を端面上に選択的に向けるためにハウジング内に配置されたバッフルを更に具備している、請求項２１に記載の清浄装置。
【請求項３３】
前記バッフルは、これが加圧ガスを端面に選択的に向けるために端面に近接して位置決めされる第１の位置と、バッフルが端面上に対して引っ込められた位置にある第２の位置との間で作動可能である、請求項３２に記載の清浄装置。
【請求項３４】
前記バッフルは、加圧ガスを端面の面取り部の中に向けるように輪郭決めされている、請求項３２に記載の清浄装置。
【請求項３５】
前記バッフルは、端面を収容しているインターフェース装置内に少なくとも部分的に配置された整合スリーブに係合するための複数の案内部材を備えている、請求項３２に記載の清浄装置。
【請求項３６】
第１のノズルは、更に、溶媒の表面張力を増大するために化学薬品を端面上への送出すように作動可能である、請求項２１に記載の清浄装置。
【請求項３７】
前記インターフェース部分の少なくとも一部が、第２の別の形状のインターフェース部分の少なくとも一部との交換のために選択的に取外し可能である、請求項２１に記載の清浄装置。
【請求項３８】
光ファイバの端面を清浄するための清浄装置であって、
（a）端面に近接して位置決めされるようになっているインターフェース部分を有するハウジングと、
（ｂ）前記ハウジング内に少なくとも部分的に配置されていて、光ファイバの端面上の汚染物の除去を助けるために溶媒を光ファイバの端面上に送出すように作動可能な第１のノズルと、
（ｃ）前記ハウジング内に少なくとも部分的に配置されていて、端面を検分するのに適している顕微鏡と、を具備している、光ファイバの端面を清浄するための清浄装置。
【請求項３９】
前記ハウジングは、更に、光ファイバの端面を点検するための顕微鏡を取外し可能に受入れるための顕微鏡受入れ孔を備えている、請求項３８に記載の清浄装置。
【請求項４０】
前記顕微鏡は、その像軸と、第１のノズルから吐出されたときの流体との両方が端面上に向けられるように、前記ハウジング内に配向されている、請求項３８に記載の清浄装置。
【請求項４１】
前記第１のノズルは、加圧ガスおよび溶媒を端面上に送出すように作動可能である、請求項３８に記載の清浄装置。
【請求項４２】
前記ハウジング内に少なくとも部分的に配置された第２のノズルを更に具備しており、前記第２のノズルは、加圧ガスを送出しように作動可能である、請求項３８に記載の清浄装置。
【請求項４３】
前記第１のノズルから端面上に吐出された流体を除去するための、前記ハウジングを通る排気通路を更に具備している、請求項３８に記載の清浄装置。
【請求項４４】
前記ハウジング内に配置されていて、端面に近接して位置決めされるバッフルを更に具備している、前記バッフルは、流体を端面上に向けるようになっている、請求項３８に記載の清浄装置。
【請求項４５】
前記バッフルは、これが流体を端面上に選択的に向けるために端面に近接して位置決めされる第１の位置と、バッフルが端面に対して引っ込められた位置にある第２の位置との間で作動可能である、請求項４４に記載の清浄装置。
【請求項４６】
前記バッフルは、流体を端面の面取り部の中に向けるように輪郭決めされている、請求項４４に記載の清浄装置。
【請求項４７】
前記第１のノズルは、更に、流体の少なくとも一部の表面張力を増大するために化学薬品を端面上に送出すように作動可能である、請求項３８に記載の清浄装置。
【請求項４８】
前記インターフェース部分の少なくとも一部が、第２の別の形状のインターフェース部分の少なくとも一部との交換のために選択的に取外し可能である、請求項４４に記載の清浄装置。
【請求項４９】
光ファイバの一部がインターフェース装置内に収容されている、光ファイバの端面を清浄するための清浄装置であって、
（a）インターフェースにより少なくとも部分的に受入れられるようになっているハウジングと、
（ｂ）前記ハウジング内に少なくとも部分的に配置されていて、前記ハウジングがインターフェース装置により受入れられると、溶媒を光ファイバの端面上に送出すように作動可能であるノズルと、
（ｃ）前記ハウジング内に配置されていて、前記ハウジングがインターフェース装置により受入れられると、流体の流れを端面上に選択的に向けるために端面に近接して位置決めされるバッフルと、を具備している、光ファイバの端面を清浄するための清浄装置。
【請求項５０】
前記インターフェース装置は、整合スリーブと、隔壁アダプタとを備えており、前記整合スリーブは、前記隔壁アダプタ内に配置されており、そして光ファイバの端面を収容している、請求項４９に記載の清浄装置。
【請求項５１】
端面に面している方の前記バッフルの端部は、流体を端面の面取り部の中に向けるように輪郭決めされている、請求項４９に記載の清浄装置。
【請求項５２】
前記バッフルは、これが加圧ガスを端面上に選択的に向けるために端面に近接して位置決めされる第１の位置と、バッフルが端面に対して引っ込められた位置にある第２の位置との間で作動可能である、請求項４９に記載の清浄装置。
【請求項５３】
端面に面している方の前記バッフルの端部は、インターフェース装置内に少なくとも部分的に配置された整合スリーブに係合するための複数のガイド部材を備えている、請求項４９に記載の清浄装置。
【請求項５４】
光ファイバの一部がインターフェース内に収容されている、ファイバイの端面を清浄する方法であって、
（a）清浄装置のハウジングのインターフェース部分をインターフェース装置内に挿入して前記ハウジング内に少なくとも部分的に収容されたノズルを光ファイバの端面に近接して位置決めする工程と、
（ｂ）加圧ガスを、前記ノズルを通して光ファイバの端面に差し向ける工程と、
（ｃ）溶媒と加圧ガスとを相互に混合する工程と、を具備している、ファイバイの端面を清浄する方法。
【請求項５５】
前記ハウジング内に配置されたバッフルを、これが加圧流体の流れを端面に向けるために端面に近接して位置決めされる第１の位置と、バッフルが端面に対して引っ込められた位置にある第２の位置との間で作動する工程を更に具備している、請求項５４に記載の方法。
【請求項５６】
前記ノズルから放出された流体の除去を助けるために前記ハウジングに真空を付与する工程を更に具備している、請求項５４に記載の方法。
【請求項５７】
前記ハウジングのインターフェース部分がインターフェース装置により受入れられている間、前記ハウジングの通路を通る結像光軸を有する顕微鏡で光ファイバの端面を点検する工程を更に具備している、請求項５４に記載の方法。
【請求項５８】
前記インターフェース装置から前記ハウジングのオンターフェース部分を取外し、顕微鏡を収容している前記ハウジングの他の部分を前記インターフェース装置内に挿入し、そして光ファイバの端面を点検する工程を更に具備している、請求項５４に記載の方法。
【請求項５９】
前記加圧ガスは、加圧空気である、請求項５４に記載の方法。
【請求項６０】
前記溶媒は、炭化水素とテルペン溶媒とで構成されている、請求項５４に記載の方法。
【請求項６１】
前記溶媒は、脂肪族石油溶媒と、単環状テルペン溶媒とで構成されている、請求項５４に記載の方法。
【請求項６２】
前記溶媒と前記加圧ガスとの相互混合により、溶媒を霧化する、請求項５４に記載の方法。
【請求項６３】
前記溶媒の表面張力を増大するために化学薬品を端面上に付与する工程を更に具備している、請求項５４に記載の方法。
【請求項６４】
光ファイバの一部がインターフェース内に収容されている、ファイバイの端面を清浄する清浄装置であって、
（a）ハウジングと、
（ｂ）前記ハウジング内に少なくとも部分的に配置された流体分配組立体と、を具備しており、前記流体分配組立体は、インターフェース装置により受入れられて端面に係合するようになっているインターフェース部分を有しており、前記流体分配組立体は、更に、端面上の汚染物の除去を助けるために流体および溶媒を端面上に送出すように作動可能である、ファイバイの端面を清浄する清浄装置。
【請求項６５】
前記インターフェース部分は、更に、ノズルポートを備えており、前記溶媒は、前記流体分配組立体から前記ノズルポートを通して分配される、請求項６４に記載の清浄装置。
【請求項６６】
前記ノズルポートは、更に、それから外方に延びている少なくとも１つの延長部を備えており、この延長部の遠位端部は、前記インターフェース部分が前記インターフェース装置により受入れられると、端面に係合する、請求項６５に記載の清浄装置。
【請求項６７】
前記延長部は、所定の長さを有しており、前記延長部が端面に係合すると、前記ノズルポートは、前記所定の長さだけ端面から離されており、前記所定長さは、約０．０３８１ｃｍ（０．０１５インチ）と約０．６３５ｃｍ（０．２５インチ）との間である、請求項６６に記載の清浄装置。
【請求項６８】
前記インターフェース部分は、整合スリーブ内に少なくとも部分的に受入れられるようになっている、請求項６４に記載の清浄装置。
【請求項６９】
前記ハウジングに連結された排気装置を更に具備しており、前記排気装置は、端面の近くに真空を与えるようになっている、請求項６４に記載の清浄装置。
【請求項７０】
前記ハウジングに連結された接触清浄組立体を更に具備しており、前記接触清浄組立体は、物理的接触により端面に係合して端面上の汚染物を除去するようになっている係合部材を有している、請求項６４に記載の清浄装置。
【請求項７１】
前記係合部材は、複数の剛毛を備えている、請求項７０に記載の清浄装置。
【請求項７２】
前記接触清浄組立体は、これが端面と接触状態にあるとき、前記係合部材を取外すように作動可能である、請求項７０に記載の清浄装置。
【請求項７３】
前記ハウジングは、更に、前記インターフェース装置により受入れられるようになっている少なくとも１つの追加のインターフェース部分を備えており、前記流体分配組立体は、複数の端面上の汚染物の除去を助けるために、前記インターフェース部分がインターフェース装置により受入れられると、流体および溶媒を前記インターフェース部分を通して送出すように作動可能である、請求項６４に記載の清浄装置。
【請求項７４】
付勢装置を更に具備しており、前記付勢装置は、前記インターフェース部分を端面に向けて付勢するために前記インターフェース部分と相互作用する、請求項６４に記載の清浄装置。
【請求項７５】
前記ハウジングに連結された顕微鏡を更に具備しており、前記顕微鏡は、端面を検分するのに適している、請求項６４に記載の清浄装置。
【請求項７６】
（a）ハウジングと、
（ｂ）前記ハウジングに連結されていて、前記ハウジングへの流体容器の選択的連結を許容するようなっている第１の取付け装置と、
（ｃ）前記ハウジングに連結されていて、前記ハウジングへの溶媒容器の選択的連結を許容するようなっている第２の取付け装置と、
（ｄ）前記ハウジング内に前記容器の各々と流体連通状態で少なくとも部分的に配置された流体分配組立体と、を具備しており、前記流体分配組立体は、光ファイバの端面上の汚染物の除去を助けるために流体および溶媒を前記容器の各々から端面上に送出すように作動可能である、光ファイバの端面を清浄するための清浄装置。
【請求項７７】
前記ハウジングに連結された制御装置を更に具備しており、前記制御装置は、流体が流体分配組立体から端面上に分配されることが許容され、溶媒が流体分配組立体から端面上に分配されるのが妨げられる第１の位置に配置可能である、請求項７６に記載の清浄装置。
【請求項７８】
前記ハウジングは、更に、所定量容積の溶媒計量キャビティと、前記ハウジングに連結されたアクチュエータ機構とを備えており、前記アクチュエータ機構が作動されると、前記溶媒計量キャビティに含まれたいずれの溶媒も端面上に分配される、請求項７６に記載の清浄装置。
【請求項７９】
前記溶媒計量キャビティの所定容積は、約０．０１ｍｌないし約０．０５ｍｌである、請求項７６に記載の清浄装置。
【請求項８０】
前記流体分配組立体は、更にノズルポートを備えており、流体および溶媒は、前記流体分配組立体から前記ノズルポートを通して分配される、請求項７６に記載の清浄装置。
【請求項８１】
前記ノズルポートから外方に延びている少なくとも１つの延長部を更に具備しており、前記延長部の遠位端部は、前記ノズルポートを端面から少なくとも所定距離、離れたところに維持するように端面に係合するようになっている、請求項８０に記載の清浄装置。
【請求項８２】
前記所定距離は、約０．０３８１ｃｍ（０．０１５インチ）ないし約０．６３５ｃｍ（０．２５インチ）である、請求項８１に記載の清浄装置。
【請求項８３】
前記流体分配組立体の少なくとも一部は、整合スリーブ内に挿入されるようになっている、請求項７６に記載の清浄装置。
【請求項８４】
前記ハウジングに連結された顕微鏡を更に具備しており、前記顕微鏡は、端面を検分するのに適している、請求項７６に記載の清浄装置。
【請求項８５】
付勢装置を更に具備しており、前記付勢装置は、前記流体分配組立体の少なくとも一部を端面に向けて付勢するために前記流体分配組立体と相互作用する、請求項７６に記載の清浄装置。
【請求項８６】
光ファイバの端面を清浄するための清浄装置であって、
（a）ハウジングと、
（ｂ）前記ハウジングに連結されていて、端面上の汚染物の除去を助けるために流体および溶媒を端面上に送出すように作動可能な流体分配組立体と、
（ｃ）前記ハウジングに連結されている接触清浄組立体と、を具備しており、前記接触清浄組立体は、物理的接触により端面に係合して端面上の汚染物を取り払うように作動可能な係合部材を有している、光ファイバの端面を清浄するための清浄装置。
【請求項８７】
前記接触清浄組立体は、前記係合部材が端面に係合する第１の位置と、前記係合部材が端面から間隔を隔てられる第２の位置との間で選択的に配置可能である、請求項８６に記載の清浄装置。
【請求項８８】
前記係合部材は、複数の剛毛を備えている、請求項８６に記載の清浄装置。
【請求項８９】
前記接触清浄組立体は、前記係合部材が端面と接触状態にあるとき、前記係合部材を移動させるように作動可能である、請求項８６に記載の清浄装置。
【請求項９０】
前記ハウジングに連結されている排気装置を更に具備しており、前記排気装置は、端面の近くに真空を与えるようになっている、請求項８６に記載の清浄装置。
【請求項９１】
前記ハウジングに連結されている顕微鏡を更に具備しており、前記顕微鏡は、光ファイバの端面を検分するようになっている、請求項８６に記載の清浄装置。
【請求項９２】
付勢装置を更に具備しており、前記付勢装置は、前記流体分配組立体の少なくとも一部を端面に向けて付勢するために前記流体分配組立体と相互作用する、請求項８６に記載の清浄装置。
【請求項９３】
光ファイバの一部がインターフェース装置内に収容されている、光ファイバの端面を清浄するための清浄装置であって、
（a）（i）インターフェース装置内に少なくとも部分的に受入れられるように構成さたインターフェース部分、および
（ii)  前記インターフェース部分に連結されていて、物理的接触により端面に係合
して端面上の汚染物を除去するようになっている係合部材、
を有している接触清浄組立体と、
（ｂ）前記接触清浄部材に連結されていて、前記係合部材を端面上で移動させるようになっている駆動機構と、を具備している、光ファイバの端面を清浄するための清浄装置。
【請求項９４】
前記係合部材は、複数の剛毛を備えている、請求項９３に記載の清浄装置。
【請求項９５】
前記駆動機構は、前記係合部材が端面と係合されると、前記係合部材を移動させるように作動可能である、請求項９３に記載の清浄装置。
【請求項９６】
前記インターフェース部分は、整合スリーブ内に受入れられるように構成されている、請求項９３に記載の清浄装置。
【請求項９７】
第１および第２の光ファイバ各々の一部がインターフェース装置内に収容されている、第１の光ファイバの第１の端面をよび第２の光ファイバの第２の端面を清浄するための清浄装置であって、
（a）ハウジングと、
（ｂ）前記ハウジング内に少なくとも部分的に配置されている流体分配組立体と、を具備しており、前記流体分配組立体は、第１のインターフェース部分と、第２のインターフェース部分とを有しており、前記第１および第２のインターフェース部分は、前記インターフェース装置により受入れられるようになっており、前記流体分配組立体は、前記第１および第２の端面上の汚染物の除去を助けるために流体および溶媒を前記第１および第２のインターフェース部分を経て前記第１および第２の端面上に送出すように作動可能である、第１の光ファイバの第１の端面をよび第２の光ファイバの第２の端面を清浄するための清浄装置。
【請求項９８】
前記第１および第２のインターフェース部分の各々は、整合スリーブ内に少なくとも部分的に受入れられるように寸法決めされ、且つ構成されている、請求項９７に記載の清浄装置。
【請求項９９】
前記第１のインターフェース部分は、更に、ノズルポートを備えており、前記流体および溶媒は、前記ノズルポートから分配される、請求項９７に記載の清浄装置。
【請求項１００】
前記ノズルポートは、更に、それから外方に延びている少なくとも１つの延長部を備えており、前記延長部の遠位端部は、前記第１のインターフェース部分が前記第１のインターフェース装置により受入れられると、前記第１の端面に係合するようになっている、請求項９９に記載の清浄装置。
【請求項１０１】
前記ノズルポートは、前記延長部が第１の端面に係合すると、所定長さだけ前記第１の端面から離されており、前記所定長さは、約０．０５０８ｃｍ（０．０２インチ）と約０．５０８ｃｍ（０．２０インチ）との間である、請求項１００に記載の清浄装置。
【請求項１０２】
前記ハウジングに連結されている接触清浄組立体を更に具備しており、前記接触清浄組立体は、物理的接触により前記第１の端面に係合して前記第１の端面上の汚染物を除去するようになっている係合部材を有している、請求項９７に記載の清浄装置。
【請求項１０３】
付勢装置を更に具備しており、前記付勢装置は、前記第１のインターフェース部分を前記第１の端面に向けて付勢するために少なくとも前記第１のインターフェース部分と相互作用する、請求項９７に記載の清浄装置。
【請求項１０４】
前記ハウジングに連結された顕微鏡を更に具備しており、前記顕微鏡は、少なくとも前記第１の光ファイバの第１の端面を検分するのに適している、請求項９７に記載の清浄装置。
【請求項１０５】
インターフェース装置内に収容されている光ファイバの端面を清浄する方法であって、
（a）清浄装置のインターフェース部分を前記インターフェース装置内に挿入してノズルを端面に近接して位置決めする工程と、
（ｂ）溶媒と流体とを相互に混合する工程と、
（ｃ）端面を係合部材と係合させることにより汚染物を端面上から取り払う工程と、を具備している、光ファイバの端面を清浄する方法。
【請求項１０６】
端面の近くに真空を付与する工程を更に具備している、請求項１０５に記載の方法。
【請求項１０７】
顕微鏡で端面を点検する工程を更に具備している、請求項１０５に記載の方法。
【請求項１０８】
前記流体は、加圧空気である、請求項１０５に記載の方法。
【請求項１０９】
前記溶媒は、炭化水素と、テルペンとよりなる混合物である、請求項１０５に記載の方法。
【請求項１１０】
前記溶媒は、弗素化エーテルと、塩素化アルカリンと、アルコールとよりなる混合物である、請求項１０５に記載の方法。
【請求項１１１】
前記溶媒は、メチルナノフルオロブチルエーテルと、エチルナノフルオロブチルエーテルと、トランスー１，２−ジクロロエチレンと、イソプロパノールとよりなる混合物である、請求項１１０に記載の方法。
【請求項１１２】
光ファイバの一部がインターフェース装置内に収容されている、光ファイバの端面を清浄するための清浄装置であって、
（a）ハウジングと、
（ｂ）前記ハウジング内に少なくとも部分的に配置された流体分配組立体と、を具備しており、前記流体分配組立体は、前記インターフェース装置により受入れられるようになっているインターフェース部分を有しており、更に、前記流体分配組立体は、端面上の汚染物の除去を助けるために加圧ガスおよび溶媒を端面上に送出すように作動可能である、光ファイバの端面を清浄するための清浄装置。
【請求項１１３】
前記インターフェース部分は、更に、それから外方に延びている少なくとも１つの延長部を備えており、前記延長部の遠位端部は、前記インターフェース部分が前記インターフェース装置により受入れられると、端面に係合するようになっている、請求項１１２に記載の清浄装置。
【請求項１１４】
前記延長部は、約０．０３８１ｃｍ（０．０１５インチ）と約０．６３５ｃｍ（０．２５インチ）との間の所定長さを有している、請求項１１３に記載の清浄装置。
【請求項１１５】
前記インターフェース部分は、整合スリーブ内に少なくとも部分的に受入れられるように構成されている、請求項１１２に記載の清浄装置。
【請求項１１６】
前記ハウジングに連結されている排気装置を更に具備しており、前記排気装置は、端面の近くに真空を与えるようになっている、請求項１１２に記載の清浄装置。
【請求項１１７】
前記ハウジングに連結されている接触清浄組立体を更に具備しており、前記接触清浄組立体は、物理的接触により端面に係合して端面上の汚染物を除去するようになっている係合部材を有している、請求項１１２に記載の清浄装置。
【請求項１１８】
前記係合部材は、複数の剛毛を備えている、請求項１１７に記載の清浄装置。
【請求項１１９】
前記接触清浄組立体は、これが端面と接触状態にあるとき、前記係合部材を取外すように作動可能である、請求項１１７に記載の清浄装置。
【請求項１２０】
付勢装置を更に具備しており、前記付勢装置は、前記インターフェース部分を端面に向けて付勢するために少なくとも前記インターフェース部分と相互作用する、請求項１１２に記載の清浄装置。
【請求項１２１】
前記ハウジングに連結された顕微鏡を更に具備しており、前記顕微鏡は、端面を検分するのに適している、請求項１１２に記載の清浄装置。
【請求項１２２】
（a）前記ハウジングに連結されていて、前記流体分配組立体への加圧ガス容器の選択的連結を許容するようになっている第１の取付け装置と、
(b)前記ハウジングに連結されていて、前記流体分配組立体への溶媒容器の選択的連結を許容するようになっている第２の取付け装置と、を更に具備している、請求項１１２に記載の清浄装置。
【請求項１２３】
前記ハウジングは、所定容積の溶媒計量キャビティと、前記ハウジングに連結されたアクチュエータ機構とを更に備えており、前記アクチュエータ機構が作動されると、前記溶媒計量キャビティに収容されたいずれの溶媒も端面上に分配される、請求項１１２に記載の清浄装置。
【請求項１２４】
前記溶媒計量キャビティの所定容積は、約０．０１ｍｌないし約０．０５ｍｌである、請求項１１３に記載の清浄装置。
【請求項１２５】
前記ハウジング内に少なくとも部分的に配置された追加の流体分配組立体を更に具備しており、前記追加の流体分配組立体は、第２のインターフェース装置により収容されるようになっている第２のインターフェース部分を有しており、前記追加の流体分配組立体は、前記第２のインターフェース装置上の汚染物の除去を助けるために流体および溶媒を前記第２のインターフェース部分を経て第２の端面上に送出すように作動可能である、請求項１１２に記載の清浄装置。
【請求項１２６】
前記流体分配組立体は、更に、第１のノズルおよび第２のノズルを有しており、前記第１および第２のノズルは、加圧ガスおよび溶媒を端面上に吐出するようになっている、請求項１１２に記載の清浄装置。
【請求項１２７】
前記第１のノズルからの加圧ガスの流れは、ベンチュリ効果により第２のノズルを通して溶媒を吸入するように作用可能である、請求項１２６に記載の清浄装置。
【請求項１２８】
前記溶媒は、炭化水素とテルペンとの混合物よりなる液体である、請求項１１２に記載の清浄装置。
【請求項１２９】
顕微鏡受入れ孔を更に具備しており、前記顕微鏡受入れ孔は、前記ハウジングのインターフェース部分がインターフェース装置により受入れられると、端面を点検するための顕微鏡を選択的に受入れるように作用可能である、請求項１１２に記載の清浄装置。
【請求項１３０】
前記顕微鏡が前記受入れ孔に受入れられると、顕微鏡の像軸と、清浄組立体から吐出されたときの加圧ガスおよび溶媒との両方が、端面上に向けられる、請求項１２９に記載の清浄装置。
【請求項１３１】
前記流体分配組立体は、前記ハウジングのインターフェース部分が前記インターフェース装置により受入れられると、光ファイバの端面から約０．０６３５ｃｍ（０．０２５インチ）ないし０．５０８ｃｍ（０．２０インチ）のところに加圧ガスを前記インターフェース部分から吐出するようになっている、請求項１１２に記載の清浄装置。
【請求項１３２】
前記ハウジング内に少なくとも部分的に配置されていて、前記インターフェース部分が前記インターフェース装置により受入れられると、端面に近接して位置決めされるバッフルを更に具備しており、前記バッフルは、加圧ガスを端面上に向けるようになっている、請求項１１２に記載の清浄装置。
【請求項１３３】
前記バッフルは、これが加圧ガスを端面上に選択的に向けるために端面に近接して位置決めされる第１の位置と、バッフルが端面に対して引っ込められた位置にある第２の位置との間で作動可能である、請求項１３２に記載の清浄装置。
【請求項１３４】
前記インターフェース部分の少なくとも一部が、第２の別の形状のインターフェース部分の少なくとも一部との交換のために選択的に取外し可能である、請求項１１２に記載の清浄装置。
【発明の詳細な説明】
【技術分野】
【０００１】
本願は、２００２年７月１８日に出願された米国特許出願第１０／１９９，９２５号の３５Ｕ．Ｓ．Ｃ．§１２０下の恩典を請求する一部継続出願であり、その開示は、参照によりここに特別に組み込まれる。
【０００２】
本発明は、一般にファイバ光素子清浄装置に関し、より詳細には、ファイバ光素子端面を清浄するための清浄装置に関する。
【背景技術】
【０００３】
ファイバ光素子通信の急増により、ファイバ光素子通信が、産業界、特に、遠距離通信およびデータ通信の分野において広範囲に実施され、使用されてきた。ファイバ光素子通信装置内においてファイバ光素子端面をきれいに且つ不損傷状態に保たなければならないことは、産業界で周知である。ファイバ光素子端面は、光ファイバを終止のために切断すると、生じられる横断面表面である。ファイバ光素子端面は、代表的には、これを受入れるための整合スリーブを有する隔壁アダプタ（これは、ときどき、バックプレーンアダプタまたは合わせアダプタとも称せられる）に連結するコネクタにより支持される。
【０００４】
端面をきれいに且つ不損傷状態に保ち損なうと、光ファイバの端面のところの散乱作用のために、信号損失が生じる。特に波長分割多重化（ＷＤＭ）技術の進歩に伴って帯域幅が増大するので、ファイバ光素子端面の清浄性の必要性が更に重要である。更に、ファイバ光素子通信装置が重態域幅通報を扱うので、ファイバ光素子通信信号を励振するレーザーパワーが代表的に高いため、ファイバ光素子端面のところの清浄性が特に重要である。高いパワーのレーザーがファイバ光素子端面上の堆積物に当ると、これらの堆積物が燃焼してファイバ光素子端面上にすすの膜を残し、これにより通信信号を悪化してしまう。その結果、相互接続点のところの「汚れた」ファイバ光素子端面を使用から取出して修理しなければならない。
【０００５】
ファイバの清浄性が最重要であるが、ファイバ端面へのアクセスがしばしば非常に制限される。ほとんどのファイバ光素子相互接続部が、雄／雄構成で配列されており、これらの相互接続部は、連結のために雌／雄構成の整合スリーブを利用している。かくして、ユーザー側のコネクタを取外すと、１つの端面が容易にアクセス可能であり、他の端面が深い幅狭い穴の底部に存在する。これにより、清浄化を非常に困難にしている。更に、バックプレーンファイバ光素子相互接続部は、保守、清浄化および修理のために非常にアクセスし難い。多ファイバであろうと、単ファイバ（単体）であろうといずれにせよ、これらのファイバ光素子コネクタは、代表的には、幅狭い「カードスロット」の裏面の近くに位置決めされる。代表的なスロットは、幅が３．８１ｃｍ（１．５インチ）であり、深さが３０．４８ｃｍ（１２インチ）であり、保全のためにむしろアクセスし難い。ほとんどの現在の清浄技術は、使用者が清浄のためにコネクタへのアクセスを達成するためにバックプレーンを分解することを必要としている。
【０００６】
アクセス問題を解消するために、幾つかの清浄装置製造業者は、整合スリーブに挿入可能であって、隔壁アダプタからのコネクタの取外しを必要とすることなしにファイバ光素子端面を清浄するための清浄装置を設計した。しかしながら、これらの装置により使用される方法は、幾つかの理由で不都合である。例えば、これらの方法のほとんどは、コットンスワブまたは接着剤で被覆された物理的構造体のような非流体材料により端面が直接に接触されるような接触清浄方法を利用している。ファイバ光素子端面が非流体材料により直接に接触されるので、これらの装置は、非流体接触材料の一部がファイバ光素子端面上に留まると、ファイバ光素子端面上に汚染を与える固有の危険性を有している。更に、物理的接触の結果、汚染物粒子が端面を横切って「引きずる」ことによるファイバ光素子端面の引掻き傷のような欠陥をファイバ光素子端面に生じる。かくして、接触清浄方法が信号の悪化をしばしば生じる端面の引掻きの一因であることは、広く理解されている。
【０００７】
他の清浄製造業者は、バックプレーンからのコネクタの取外しを必要とすることなしにファイバ光素子端面を清浄するために隔壁アダプタ内に液体を注入することを含む清浄装置を設計した。しかしながら、この種類の現在の方法もまた、幾つかの理由で不都合である。例えば、代表的な隔壁アダプタは水密性ではなく、従って、水のようなかなりの量の液体が隔壁アダプタから漏れ、それによりコネクタに近接して位置決めされた高価な通信設備に損傷の可能性または認められた可能性をもたらす。更に、これらの装置は、隔壁アダプタ内に注入された液体の急速除去のための瞬時排気装置を設けていなく、かくして周囲の通信設備に対する損傷の可能性を高め、且つ液体の残留物が端面上に留まり、かくして端面を汚染する可能性を高める。
【０００８】
しかも、清浄操作中、清浄溶媒が、ファイバ光素子端面に形成された面取り部に集まることがあると言うことがわかった。この面取り部は、ファイバ光素子端面の周囲に位置決めされている。この面取り部は、溶媒を整合スリーブ内に保持する溜め部を形成する保護されたキャビティとして作用する。かくして、清浄方法が完了した後、面取り部に収容された清浄溶媒およびいずれかの汚染物が、しばしば、ファイバ光素子端面上に逆流して端面を再汚染してしまう。
【０００９】
更に、既存の組立体は、点検顕微鏡またはこれを受入れる手段を端面清浄装置に組み入れていない。かくして、操作者が端面清浄装置および点検顕微鏡を交換せざるをえないので、ファイバ光素子端面を清浄し、そしてこれを点検するサイクル時間が長くなる。更に、清浄操作中の端面清浄装置および点検顕微鏡の繰り返しの連結および分離に因り、ファイバ光素子端面上に汚染物または損傷を生じる可能性もかなり増大される。他の面では、製造業者は、２つの別々のユニットを製造し、且つ棚卸しするために別々の作業設備を設計／開発しなければならない。
【００１０】
更に、既存の組立体は、非接触清浄方法が全く効果的でないなら、清浄方法に接触清浄方法を組み入れることにより清浄操作の攻撃性を高めることができるように、接触清浄組立体を非接触清浄組立体と合同させていない。
【００１１】
従って、清浄されているファイバ光素子端面に対する汚染導入および／または損傷の低い可能性を示しながら、ファイバ光素子端面を清浄するのに効果的であって、近くの構成部品を不良流体にさらさない端面清浄装置の必要性が存在する。更に、清浄方法のサイクル時間およびファイバ光素子端面上の汚染の恐れを減少するために顕微鏡を受入れるか或いは収容するように実施可能な端面清浄装置の必要性が存在する。
【発明の開示】
【課題を解決するための手段】
【００１２】
本発明により構成された清浄装置の１つの実施の形態が提供される。この清浄装置は、光ファイバの一部がインターフェース装置内に収容されている光ファイバの端面の清浄に使用するために作動可能である。清浄装置は、ハウジングと、このハウジング内に少なくとも部分的に配置された流体分配組立体とを有している。この流体分配組立体は、インターフェース装置により受入れられて端面と係合するようになっているインターフェース部分を有している。流体分配組立体は、端面上の汚染物の除去を助けるために流体および溶媒を端面上に送出すように作動可能である。
【００１３】
本発明により構成された清浄装置の第１の別の実施の形態が提供される。この清浄装置は、光ファイバの端面の清浄に使用するために作動可能である。清浄装置は、ハウジングと、このハウジングに連結された第１の取付け装置とを有している。この第１の取付け装置は、ハウジングに対する流体容器の選択的な連結を許容するようになっている。また、清浄装置は、ハウジングに連結された第２の取付け装置を有しており、この第２の取付け装置は、ハウジングに対する溶媒容器の選択的な連結を許容するようになっている。また、清浄装置は、容器の各々と流体連通状態でハウジング内に少なくとも部分的に配置された流体分配組立体を有しており、この流体分配組立体は、端面上の汚染物の除去を助けるために流体および溶媒を容器の各々から端面上に送出すように作動可能である。
【００１４】
本発明により構成された清浄装置の第２の別の実施の形態が提供される。この清浄装置は、光ファイバの端面の清浄に使用するために作動可能である。清浄装置は、ハウジングと、このハウジングに連結されていて、端面上の汚染物の除去を助けるために流体および溶媒を容器の各々から端面上に送出すように作動可能である流体分配組立体とを有している。更に、清浄装置は、ハウジングに連結されている接触清浄組立体を有しており、この接触清浄組立体は、物理的接触により端面に係合して端面上の汚染物を取り払うように作動可能な係合部材を有している。
【００１５】
本発明により構成された清浄装置の第３の別の実施の形態が提供される。この清浄装置は、光ファイバの一部がインターフェース装置内に収容されている光ファイバの端面の清浄に使用するために作動可能である。清浄装置は、接触清浄組立体を有しており、この接触清浄組立体は、インターフェース装置内に少なくとも部分的に受入れられるように構成されたインターフェース部分を有している。更に、接触清浄組立体は、インターフェース部分に連結されていて、物理的接触により端面に係合して端面上の汚染物を除去するようになっている係合部材を有している。更に、清浄装置は、接触清浄組立体に連結されている駆動機構を有しており、この駆動機構は、端面上で係合部材を移動させるようになっている。
【００１６】
本発明により構成された清浄装置の第４の別の実施の形態が提供される。この清浄装置は、第１および第２の光ファイバ各々の一部がインターフェース装置内に収容されている第１の光ファイバの第１の端面をよび第２の光ファイバの第２の端面の清浄に使用するために作動可能である。清浄装置は、ハウジングと、このハウジング内に少なくとも部分的に配置された流体分配組立体とを有している。この流体分配組立体は、第１のインターフェース部分および第２のインターフェース部分を有しており、これらの第１および第２のインターフェース部分は、インターフェース装置により受入れられるようになっている。流体分配組立体は、第１および第２の端面上の汚染物の除去を助けるために流体および溶媒を第１および第２のインターフェース部分を経て第１および第２の端面上に送出すように作動可能である。
【００１７】
インターフェース装置内に収容された光ファイバの端面を清浄するための本発明により構成された方法の１つの実施の形態が提供される。この方法は、ノズルを端面に近接して位置決めするように清浄装置のインターフェース部分をインターフェース装置内に挿入する工程を有している。更に、この方法は、溶媒を流体と相互混合し、そして端面を係合部材と接触させることにより端面上から汚染物を取り払う工程を有している。
【００１８】
本発明の下記の態様および付随の利点のうちの多くが、添付図面と関連して行なわれる下記の詳細な説明を参照することにより良く理解されるであろう。
【発明を実施するための最良の形態】
【００１９】
本発明は、光ファイバの端面を清浄するための光ファイバ端面清浄装置である。下記の用途に限定されないが、本発明の端面清浄装置は、任意の組立体、装置、または露出ファイバ光学素子端面を有するか、或いはこの端面が支持された装置として規定されるインターフェース装置に収容された光ファイバの端面を清浄するのに特に適している。このようなインターフェース装置の例としては、整合スリーブ、隔壁アダプタ、トランシーバ、トランスミッタ、検出器またはコネクタのうちの任意の１つまたはそれ以上、またはそれらの組合わせが挙げられる。隔壁アダプタはときどき「合わせアダプタ」または「バックプレーンアダプタ」とも称せられており、それらの設計および形状は大きく変化している。例示のみの目的で、隔壁アダプタ内に収容されたファイバ光素子コネクタに関して、或いは隔壁アダプタから取外されたファイバ光素子コネクタに関して本発明の実施の形態を説明する。しかしながら、露出ファイバ光素子端面が存在する任意の状況にファイバ光素子端面清浄装置を使用し得ることは当業者には明らかであろう。
【００２０】
一般に、以下に更に説明するように、ファイバ光素子端面清浄装置は、加圧流体および清浄化溶媒ファイバ光素子端面に付与する装置を備えている。本発明の他の実施の形態では、ファイバ光素子端面清浄装置は、光ファイバの端面を照明して検分するための顕微鏡を受けるように実施可能であるか、或いはこの顕微鏡を備えている。本発明の更に他の実施の形態では、ファイバ光素子端面清浄装置は、ファイバ光素子端面上からの流体の除去を助ける引込み可能なバッフルを有している。更なる実施の形態では、ファイバ光素子端面清浄装置は、汚染物に接触して物理的接触により端面上から汚染物を除去するようになっている刑法部材を有する接触清浄組立体を備えている。更なる実施の形態では、端面清浄装置は、加圧流体の容器および溶媒の容器に取外し可能に連結するようになっている。
【００２１】
図１および図２は、本発明により構成されたファイバ光素子端面清浄装置１００の１つの実施の形態を示している。このファイバ光素子端面清浄装置１００は、周知のファイバ光素子データ伝送装置に代表的に使用されるもののようなファイバ光素子隔壁アダプタ２００に収容された光ファイバの端面を清浄するために、このファイバ光素子隔壁アダプタ２００とインターフェース接続することが可能である。ファイバ光素子端面清浄装置１００は、ハウジング１１０と、排気装置１０４と、清浄溶媒送り出し装置１０６と、加圧流体送り出し装置１０８とを有している。
【００２２】
ファイバ光素子端面清浄装置１００は、これがインターフェース接続するファイバ光素子隔壁アダプタ２００の説明を考慮して良く理解されるので、ファイバ光素子端面清浄装置１００の説明に先立って、ファイバ光素子隔壁アダプタ２００の詳細な説明を行なっておく。図示のファイバ光素子隔壁アダプタ２００は、ほとんどの周知のファイバ光素子データ伝送装置に使用するのに適している。ファイバ光素子隔壁アダプタ２００は、代表的には、その第１の端部に位置決めされた第１の一対の雌入力部２０４、２０６を有している。これらの雌入力部２０４、２０６は、隔壁アダプタ２００の第２の端部のところの第１の一対の雌入力部２０４、２０６に対して反対方向に向いている第２の一対の雌入力部(図示せず)と整合されている。雌入力部２０４、２０６は、参照符号２１４、２１６により示されるもののようなファイバ光素子コネクタを受入れるように寸法決めされて形成されている。ファイバ光素子コネクタが整合された対向雌入力部内に受入れられると、対向ファイバ光素子コネクタ内に収容されたファイバ２１７（一方が図示されている）は、隔壁アダプタ２００内に収容された整合スリーブ２１９内に受入れられる。コネクタが前述のように受入れられた状態では、対向ファイバ光素子コネクタの端面は、当業界で周知なように光ファイバ間の光信号の通過を許容するように整合スリーブ２１９内で互いに面している。
【００２３】
代表的な用途では、隔壁アダプタ２００は、隔壁(図示せず)を介して光ファイバの接続を許容するように隔壁を通して設けられる。従って、雌入力部２０４、２０６内に受入れられたファイバ光素子コネクタに使用者が容易に接近してこのファイバ光素子を取外せるが、ファイバ光素子コネクタ２１４、２１６への接近は、代表的には、隔壁により妨害されている。例えば、隔壁アダプタ２００は、増幅ユニットの隔壁への光ファイバの通過を可能にしているが、この際、隔壁アダプタ２００からファイバ光素子コネクタ２１４、２１６を「抜き出す」ためには、労力が激しく、設備の損傷の高い可能性と関連された方法によりファイバ光素子コネクタ２１４、２１６に接近するために増幅ユニットを分解することが必要である。
【００２４】
ファイバ光素子コネクタ２１４、２１６を一旦、隔壁アダプタ２００に挿入したら、各コネクタと関連されたファイバ光素子端面２０２は、隔壁の他方の側に露出され、他のファイバ光素子コネクタとインターフェース接続する用意が整う。実際、ファイバ光素子コネクタを雌入力部のうちの一方２０４または２０６から取外すと、本発明のファイバ光素子端面清浄装置１００を空の雌入力部２０４または２０６に挿入し得る。すると、ファイバ光素子隔壁アダプタ２００内で終わっている各ファイバ光素子ストランド２１７の端面２０２を清浄するために本発明のファイバ光素子端面清浄装置１００を使用し得る。
【００２５】
更に図１および図２を参照し、隔壁アダプタ２００の構造に集中して説明すると、ファイバ光素子隔壁アダプタ２００は、雌入力部により受入れられたファイバ光素子コネクタと関連された光ファイバを受入れ、保持しそして整合させるために各整合された対向対の雌入力部の内側に設けられた整合スリーブ２１９を有している。ファイバ光素子コネクタ２１４、２１６は、光ファイバを収容するフェルール２１８を有している。このフェルール２１８は、その整合スリーブ２１９との係合のより隔壁アダプタ２００内に光ファイバを保護し、整合させるのに役立つ。
【００２６】
終端光ファイバの端面は、信号伝播を最適にする目的で高い精度まで切断されて磨かれる。各ファイバ光素子端面２０２は、「平ら」である（すなわち、ファイバの光軸に対して直交する）か、或いは角度をなして切断される。好ましくは、各ファイバ光素子端面２０２は、反射により引起される信号悪化を低減するために垂線から８°（±０．１°）の角度で切断される。
【００２７】
多くの隔壁アダプタ２００は、単一のハウジング内の送信／受信チャンネルを考慮して図１および図２に示すように、設計が二重である。しかしながら、単体の隔壁アダプタが本発明と関連して使用するのに全く一般的であって、適しており、並びに２を超える多重である。
【００２８】
隔壁アダプタ２００は、参照符号２１４、２１６で示されるもののようなファイバ光素子コネクタを受入れるために割りハウジング２０８と、雌入力部２０４、２０６とを有してもよい。割りハウジング２０８は、一般に、一対の対向した合わせフランジ２２０、２２２に沿って第１のハウジング半体２１０を第２のハウジング半体２１２に接合することによって構成された中空のブロック構造体である。整合スリーブ２１９内には、フェルール２１８が設けられており、光ファイバ２１７が整合スリーブ２１９に保持され、整合されている。
【００２９】
ファイバ光素子隔壁アダプタ２００の上記論述を考慮して、ファイバ光素子端面清浄装置１００を以下に論述する。前述のように、ファイバ光素子端面清浄装置１００は、ハウジング１１０と、排気装置１０４と、清浄溶媒送出し装置１０６と、加圧流体送出し装置１０８とを有している。ハウジング１１０は、管受け部分１１８に連結されるか、これが一体に形成されたインターフェース部分１１６で構成されている。このインターフェース部分１１６は、その挿入を許容するために、ファイバ光素子隔壁アダプタ２００の雌入力部２０４、２０６の内側寸法にほぼ類似した外側寸法を有する中空の細長いブロック構造体である。インターフェース部分１１６は、後で更に詳細に論述するように、排出されたいずれの流体もファイバ光素子端面２０２に適切に衝突するように、インターフェース部分１１６内に収容された清浄溶媒送出し装置１０６および加圧流体送出し装置１０８の諸構成部品を配向させるように構成されている。
【００３０】
インターフェース部分１１６には、管受け部分１１８が接合されている。排気通路１２０と、清浄溶媒管１２２と、加圧流体管１２４が管受け部分１１８を通っている。管受け部分１１８は、これを管が通っている以外、好ましくは構成が中実である三角形のブロック構造体である。
【００３１】
排気装置１０４は、周知の可撓性管（図示せず）により真空ポンプ（図示せず）に連結された排気通路１２０で構成されている。真空ポンプは、加圧流体の注入にもかかわらず、清浄中、整合スリーブ２１９内の負圧を維持するのに十分な容量を有する任意の周知のポンプでもよい。本発明に使用するのに適した１つのこのような真空ポンプは、コネクチカット州のセイモアにあるエアバック社により製造されているモデルＮｏ．ＡＶＲ０４６Ｈの１段ベンチュリポンプである。このポンプは、１１８ｍｌ／秒までの真空流量を生じることが可能である。好ましくは、コネクタにける浸入亀裂または可能開口部を通るコネクタの外部の汚染物の侵入を緩和するために、低いレベルの真空が加えられる。
【００３２】
排気通路１２０は、ハウジング１１０の水平方向に配向されたインターフェース部分１１６に対して角度をなしてハウジング１１０の管受け部分１１８を通っている。排気通路１２０は、これがハウジング１１０のインターフェース部分１１６を通っているので、ハウジング１１０のインターフェース部分１１６の壁部により規定されている。図示の実施の形態では、インターフェース部分１１６内の排気通路１２０の内径は、整合スリーブ２１９および関連ファイバ光素子端面２０２を包囲する保護ハウジング２２６の外径に等しいが、適切な量の流れを許容する任意の直径が容認可能である。排気装置を図示して説明するが、排気装置１０４が最適であり、排気装置なしでも、ファイバ光素子端面清浄装置１００を効果的に使用し得ることは当業者には明らかであろう。
【００３３】
加圧流体送出し装置１０８は、流体加圧ユニット（図示せず）と、加圧流体管１２４と、加圧流体ノズル１３０とで構成されている。流体加圧ユニットは、加圧流体ノズル１３０からの吐出のために、可撓性管（図示せず）を経て加圧流体を加圧流体管１２４に送出す。流体加圧ユニットは、清浄中、十分な圧力下で十分な流れを維持するのに十分な容量を有する任意の周知なポンプまたは他の源でもよい。図示の実施の形態では、加圧流体は、１１２ｍｌ／秒の流量で、１３秒間、５psiないし実質的にそれより大きい値の範囲内、好ましくは１００psiの値で送出される。
【００３４】
１つの実施の形態では、加圧流体は、周知の市販されている加圧窒素ビンから加圧窒素を選択的に放出することにより供給される加圧ガスである。他の実施例では、流体は、周知のコンプレッサまたはポンプにより供給される乾燥ろ過空気のような加圧ガスである。更に他の実施の形態では、加圧流体はＣＯ２である。更に他の実施の形態では、加圧流体は脱イオン化空気である。図示の実施の形態では、加圧流体は、窒素、空気またはＣＯ２であると述べるが、本発明における使用には、固形粒子が同伴はされた液体および流体のような他の流体も適していることは、当業者には明らかであろう。更に、この詳細な説明の意味内で、語「加圧ガス」は、ゼロ以外の湿度を有する空気のような少量の液体を含有してもよいガス状化合物を含むことは理解すべきである。更に、本発明で使用するのに適した特定の圧力、持続期間および流量を説明したが、これらの量は、全く説明上のものであることは当業者には明らかであろう。従って、他の量も、本発明な範囲内で本発明での使用に適している。好ましくは、加圧流体は、いずれの望まれない汚染物を除去するためにろ過される。
【００３５】
加圧流体管１２４は、加圧流体ノズル１３０で終わっている。加圧流体ノズル１３０は、ステンレス鋼皮下針管のような任意の適当な剛性材料から製造されている。図示の実施の形態では、ノズルは、０．０４５７ｃｍ（０．０１８インチ）の外径および０．０３５５ｃｍ（０．０１４インチ）の内径を有する特別に薄い壁部の２６口径の皮下針管で構成されている。加圧流体ノズル１３０は、その遠位端部に加圧流体吐出ポートまたはノズルポート１１２を有している。
【００３６】
図示の実施の形態では、加圧流体は、好ましくは、周知のフィルタ構造体を通してろ過され、１つのこのような適当なフィルタ構造体は、ミシガン州アンアーバーにあるポールゲルマン研究所により製造されているモデルＮｏ．６６０７３の細孔性で中間流量の1.0μｍの大きさの粒子保持用の１３ｍｍガラスファイバ膜を利用している再使用可能な注射器フィルタハウジングである。
【００３７】
清浄溶媒送出し装置１０６は、清浄溶媒貯蔵源（図示せず）に連結された清浄溶媒管１２２で構成されている。この清浄溶媒管１２２は、可撓性管（図示せず）を介して溶媒貯蔵源または送出し装置（図示せず）と流体連通状態で連結される。清浄溶媒管１２２は、遠位端部に吐出ポートまたはノズルポート１１４を有していて、加圧ガスおよび清浄溶媒をファイバ光素子端面２０２に送出すためのノズル１２６で終わっている。清浄溶媒管１２２は、インターフェース部分１１８の中心線と並んでハウジング１１０の管受け部分１１８およびインターフェース部分１１６を通っている。
【００３８】
清浄溶媒管１２２は、ステンレス鋼皮下針管のような任意の適当な剛性材料で製造され得る。図示の実施の形態では、ノズルは、０．０７１ｃｍ（０．０２８インチ）の内径を有する特別に薄い壁部の２０口径の皮下針管で構成されている。この内径は、加圧流体管１２４を通せるように選択され、加圧流体管１２４の外面と清浄溶媒管１２２の内面との間にアニュラスを形成すように十分に大き目に寸法決めされている。加圧流体が加圧流体ノズル１３０を通ることにより生じられるベンチュリ効果により、清浄溶媒貯蔵源（図示せず）から清浄溶媒を引出して、清浄溶媒貯蔵源を清浄溶媒管１２２に連結する可撓性管およびアニュラス１１７に通し、ついにはノズルポート１１４から吐出する。更に、図示の実施の形態では、加圧流体管１２４は、清浄溶媒管１２２内で同心的に延びているものとして図示されているが、他の形状も本発明での使用に適していることは、当業者には明らかであろう。例えば、清浄溶媒管１２２は、加圧流体管１２４内で延びてもよい。変更例として、清浄溶媒管１２２および加圧流体管１２４は、当業者には明らかなように、端面上に向けられ、および／または他方の流路に排出するように向けられている別体の異なったユニットでもよい。
【００３９】
また、ファイバ光素子ストランドの端面上に含まれる汚染物を効果的に除去することができる任意の適当な清浄溶媒が本発明における使用に適していることは、当業者にはあきらかであろう。清浄溶媒は、ガス、液体、固体またはそれらの組み合わせでもよい。好ましくは、清浄溶媒は、液体であれば、５０℃以上の引火点を有する。清浄溶媒は、その効率を高めるために加熱されてもよい。１つの適当な溶媒は、ミネソタ州のスチルウオータニあるアメリカンポリウオータコーポレーションにより製造され、商標ＨＰＴＭの製品番号ＨＰＶ−１６ＬＦとして販売されている炭化水素／テルペン混合溶媒である。この炭化水素／テルペン混合物は、中間脂肪族石油溶媒と単環状テルペンとよりなる。他の実施の形態では、清浄溶媒は、いくつかのプラスチックを溶解することが可能なシアン化物ガスである。更に他の実施の形態では、清浄溶媒は、柔らかい固形物が懸濁された液体である。更に他の実施の形態では、清浄溶媒は、弗素化エーテルと、塩素化アルカレンとアルコールとの混合物である。より詳細には、清浄溶媒は、メチルノナフルオロブチルエーテルと、ノナフルオロブチルエーテルと、トランスー１、２−ジクロオエチレンと、イソプロパノールとよりなる混合物であり、１つの適当な例は、ミネソタ州のＳｔポウルにある３ＭＴＭにより製造され、ノベックフルイドＨＦＥ−７２ＤＡの名で販売されている。
【００４０】
図示の実施の形態では、清浄溶媒は、加圧流体が加圧流体ノズル１３０を通ることによって生じられるベンチュリ効果によって送出される。他の実施の形態では、清浄溶媒は、ポンプにより送出される。１つのこのような適当なポンプは、マサチューセッツ州のハドソンにあるクラーク社により製造されているモデルＮｏ．ＤＭＳ０３５のソレノイド作動式ダイアフラムポンプである。このポンプは、５ｐｓiの流体を１６０ｍｌ／分の流量で供給することが可能である。本発明での使用に適した特定のポンプを説明したが、本発明の範囲を逸脱することなしに任意のこのような適当なポンプを本発明で使用し得ることは、当業者には明らかであろう。
【００４１】
図示の実施の形態では、３秒の清浄噴流あたり、ほぼ２５ミクロリットルの清浄溶媒が送出される。他の量および持続時間も本発明での使用に適しており、従ってこれらも本発明の範囲内であることは、当業者にはあきらかであろう。この実施の形態では、清浄溶媒吐出ポートまたはノズルポート１１４は、好ましくは、端面からほぼ０．０５０８ｃｍ（０．０２インチ）ないしほぼ０．５０８ｃｍ（０．２０インチ）のところに位置決めされる。しかしながら、他の距離も本発明での使用に適切であることは、当業者には明らかであろう。また、端面からのノズルポート１１４の間隔が背圧および本発明の清浄能力の効果性に影響することは、当業者には明らかであろう。より詳細には、ノズルポート１１４が端面に近すぎるところに設置されると、背圧が上昇して清浄作動の効果性を低下する。他方、ノズルポート１１４が端面に遠すぎるところに設置されると、端面に衝突する前に、噴流のエネルギが消散し、それにより装置の清浄効果性を著しく低下する。図示の実施の形態では、０．１２７ｃｍ（０．０５インチ）の間隔が好ましい。
【００４２】
また、図示の実施の形態では、清浄溶媒は、好ましくは、周知のフィルタ構造体を通してろ過され、１つのこのような適当なフィルタ構造体は、ミシガン州アンアーバーにあるポールゲルマン研究所により製造されているモデルＮｏ．６６０７３の細孔性で中間流量の1.0μｍの大きさの粒子保持用の１３ｍｍガラスファイバ膜を利用している再使用可能な注射器フィルタハウジングである。
【００４３】
更に図１および図２を参照し、ファイバ光素子端面清浄装置１００の上述の説明を考慮して、代表的な清浄サイクル中のファイバ光素子端面清浄装置１００の１つの実施の形態の作動を以下に説明する。まず、ファイバ光素子コネクタを雌入力部２０４から取外し、端面清浄装置１００のインターフェース部分１１６を挿入する。次いで、ボタンまたは同様なアクチュエータを押すことによって清浄方法を開始する。１００ｐｓｉの乾いたろ過済み空気を、加圧流体管１２４を通して３秒間の噴出で１１２ｍｌ／秒の流量で供給する。液体炭化水素／テルペン溶媒混合物よりなる約０．０１ｍｌないし約０．０５ｍｌ（好ましい値はほぼ０．０２５ｍｌである）の清浄溶媒を、加圧流体ノズル１３０を通るろ過済み空気の流れにより生じられるベンチュリ効果によって初めのほぼ１００ミリ秒間、清浄溶媒送出し管１２２を通して引出す。
【００４４】
この加圧空気は清浄溶媒と混合し、それにより高速ガス噴流に同伴される清浄溶媒のエアロゾルミストを生じる。清浄溶媒および加圧ガスのこのエアロゾルミストは、清浄溶媒ノズル１２６の吐出ポート１１４から吐出される。吐出ポート１１４は、端面からほぼ０．０５０８ｃｍ（０．０２インチ）ないし０．５０８ｃｍ（０．２０インチ）のところに位置決めされ、好ましい距離は、０．１２７ｃｍ（０．０５インチ）である。清浄溶媒および加圧ガスのエアロゾルミストは、端面２０２に衝突してそこに位置するいずれの汚染物をも除去する。全手順全体にわたって、およびその後の期間の間、ほぼ１１８ｍｌ／秒の流量で排気通路を通して真空を付与し、かくしていずれの消費された加圧ガスおよび清浄溶媒、臭いも除去し、一般のハウスキーピングをもたらし、そしてコネクタ２００の内側部分を大気圧よりわずかに低く保つ。整合スリーブ２１０内に残っているいずれの残留清浄溶媒の除去を助けるために、清浄の展開に引き続き、端面上への加圧ガスおよび排気真空の付与よりなる乾燥段階を開始してもよい。圧力、流量、持続時間および流体のような特定の量を以上に開示したが、他の量および流体も本発明での使用に適しており、従って本発明の範囲内であることは、当業者には明らかであろう。
【００４５】
図３および図４を参照して、本発明により構成されたファイバ光素子端面清浄装置３００の別の実施の形態を以下に説明する。このファイバ光素子端面清浄装置３００は、図１および図２に示されるファイバ光素子コネクタ２１４、２１６のようなファイバ光素子コネクタ４００に含まれる光ファイバの端面を清浄するために、このファイバ光素子コネクタ４００とインターフェース接続することが可能である。この実施の形態のファイバ光素子端面清浄装置３００は、以下の点を除いて、図１および図２に示される前述の実施の形態と同様である。すなわち、ファイバ光素子端面清浄装置３００は、ファイバ光素子コネクタ４００内に収容されたコネクタフェルール４１８の端面４０２を検分するために顕微鏡５００の結像光軸が通る進路３３０を設けるように設計されており、またコネクタ４００が隔壁アダプタから取外されると、清浄が行なわれる。顕微鏡５００の光学的特徴および顕微鏡５００の光学的性質の一般知識が周知であるので、顕微鏡５００のこれらの面は、ここではこれ以上説明しない。
【００４６】
ファイバ光素子端面清浄装置３００は、排気装置３０４と、清浄溶媒送出し装置３０６と、加圧流体送出し装置３０８とを有している（これらのすべては前述の実施の形態について説明したものと同様である）。この実施の形態では、能動的排気装置３０４が前述の実施の形態について説明した装置とほぼ同様であるものとして示すが、この構成における堆積物を除去する方法が、能動的（真空）または受動的（ベント）に行なわれてもよいことは、当業者には明らかであろう。詳細には、変更例として、先の実施の形態について開示されたように、端面に近接して真空を能動的に付与するのとは対照的に、適切に設計された排気装置を通して端面上に吐出されたいずれの流体をも単に受動的に抜きだすことにより堆積物の除去を排気装置３０４が達成し得ることは、当業者には明らかであろう。
【００４７】
端面清浄装置３００のハウジング３１０は、中空の円錐形部分３３２を軸方向の整合された中空の円筒形部分３３４に接合するか、或いはこの中空の円錐形部分３３２を一体に形成することによって形成されている。この円錐形部分３３２は、インターフェース部分３１６を有している。このインターフェース部分３１６は、ファイバ光素子コネクタ４００のフェルール４１８の挿入を許容するために、このフェルール４１８の外側寸法とほぼ同様な内側寸法を有する中空の細長いブロック構造体である。インターフェース部分３１６が隔壁アダプタの雌入力部の内側寸法とインターフェース接続するように設計されている同様な構成がこの実施の形態の明らかな延長範囲であることは、当業者には明らかであろう。インターフェース部分３１６は、以下に更に詳細に論述するように、吐出されたいずれの流体もファイバ光素子端面４０２に適切に衝突するように、円錐形部分３３２内に収容された清浄溶媒送出し装置３０６および加圧流体送出し装置３０８の諸構成部品を配向するように構成されている。円錐形部分３３２により、清浄溶媒送出し装置３０６、加圧流体送出し装置３０８、排気装置３０４の諸構成部品を顕微鏡５００の光進路３３０の外側に設置することができる。
【００４８】
円錐形部分３３２には、円筒形部分３３４が接合されている。排気通路３２０、清浄溶媒管３２２および加圧流体管３２４が、円筒形部分３３４を通っている。円筒形部分３３４は、更に、顕微鏡５００の頭部分５０２を受入れるための受入れ孔３３６を有している。顕微鏡５００の頭部分５０２がハウジング３１０内の挿入中に受入れ孔３３６に係合すると、受入れ孔３３６は、顕微鏡５００の結像光軸をウジング３１０を通る光進路３３０を通してファイバ光素子ストランドの端面に整合させるのに役立ち、それにより使用者は、ファイバ光素子端面４０２を検分することができる。この実施の形態では、顕微鏡５００は、光ファイバの端面４０２を点検し、そしてこの端面を見て清浄サイクルの効果性を実証するために、清浄サイクルの完了後に挿入される。
【００４９】
図示の実施の形態では、顕微鏡５００は、端面清浄装置３００に取外し可能に係合するように作動できる別体のユニットであるが、本発明の範囲を逸脱することなしに、顕微鏡５００を端面清浄装置３００に一体に形成してもよく、或いは端面清浄装置３００に永久的に取付けてもよいことは、当業者には明らかであろう。この別の実施の形態では、使用者は、ファイバ光素子コネクタ４００から端面清浄装置３００を取外すことなしに清浄中に或いはそのすぐ後に端面を検分することができる。
【００５０】
図３および図４に示される端面清浄装置３００のこの別の実施の形態の作動は、顕微鏡５００の使用および排気装置３０４、清浄溶媒送出し装置３０６および加圧流体送出し装置３０８の配向を除いて、図１および図２に示される前述の端面清浄装置の実施の形態のものとほぼ同様である。作動が前述のものとほぼ同様であるので、ここでは、作動をこれ以上論述しない。
【００５１】
図５を参照して、本発明により構成されたファイバ光素子端面清浄装置６００の第２の別の実施の形態を以下に説明する。このファイバ光素子端面清浄装置６００は、図１および図２に示されるファイバ光素子データ伝送設備に代表的に使用されるもののようなインターフェース装置に含まれる光ファイバの端面を清浄するために、このインターフェース装置とインターフェース接続することが可能である。本発明のファイバ光素子端面清浄装置６００は、コネクタ内に収容されたファイバ光素子ストランドのファイバ光素子端面の光学的結像を許容するために、ファイバ光素子端面清浄装置６００がこれと一体に形成された顕微鏡７００を更に有することを除いて、図１および図２に示される前述の実施の形態と同様である。顕微鏡７００の光学的特徴および顕微鏡の光学的性質の一般知識が周知であるので、ここでは、ファイバ光素子端面清浄装置６００のこれらの面をこれ以論述しない。
【００５２】
顕微鏡７００は、ファイバ光素子端面清浄装置６００のハウジング６１０の第１の端部のところに、第２の端部に位置決めされた清浄装置のインターフェース部分６３４と反対側に位置決めされている。清浄装置のインターフェース部分６３４は、排気装置と、清浄溶媒送出し装置と、加圧流体送出し装置とを有しており、これらの装置すべては、前記２つの実施の形態について説明したものとほぼ同様であり、従って、ここでは、これ以上論述しない。
【００５３】
作動にあたり、使用者は、清浄操作または点検操作が望まれるかに応じて、第１または第２の端部を選択的にインターフェース装置内に挿入する。例えば、使用者が隔壁アダプタ内に収容されたファイバ光素子端面を清浄したいなら、清浄装置のインターフェース装置６３４を隔壁アダプタ内に挿入し、アクチュエータボタン６３６を押して清浄操作を開始する。清浄操作が完了すると、使用者は、引き続き、ファイバ光素子端面清浄装置６００を取外し、ファイバ光素子端面清浄装置６００を縦に回転させ、その後、顕微鏡７００のインターフェース部分７０２を隔壁アダプタ内に挿入する。このインターフェース部分７０２は、ファイバ光素子隔壁アダプタ内に収容されたファイバ光素子端面に顕微鏡の光レンズの焦点が合うように隔壁アダプタとインターフェース接続するように設計されている。
【００５４】
図６ないし図１２を参照して、本発明により構成されたファイバ光素子端面清浄装置８００の別の実施の形態を以下に説明する。このファイバ光素子端面清浄装置８００は、ファイバ光素子隔壁アダプタ９００のようなインターフェース装置内に収容された光ファイバの端面を清浄するために、このインターフェース装置とインターフェース接続することが可能である。この実施の形態のファイバ光素子端面清浄装置８００は、これが引込み可能なバッフル８０２を更に有していることを除いて、図１および図２に示される前述の実施の形態と作動および構造が同様である。
【００５５】
図１１および図１２を参照して説明すると、バッフル８０２は、清浄展開中、整合スリーブ８２２内に残留する清浄溶媒の除去を助ける。しかも、ファイバ光素子端面９０２は、その周囲に位置決めされた面取り部９０４を有している。清浄操作中、清浄溶媒および／または他の流体が面取り部９０４に集まることがわかった。面取り部９０４は、含まれる清浄溶媒を加圧流体および／または加えられた真空から部分的に遮蔽する保護キャビティとして作用する。かくして、加圧流体が流れている間、ファイバ光素子端面９０２は、きれいで乾いた状態のままである。しかしながら、加圧流体の流れが停止すると、面取り部９０４に存在する清浄溶媒およびこれに含まれる汚染物が、ファイバ光素子端面９０２に逆流してこの端面を再汚染する。図示の実施の形態の引込み可能なバッフル８０２は、加圧流体の流れを面取り部に集中することによって面取り部からの清浄溶媒の除去を助ける。かくして、バッフル８０２が図１１に示されるように伸張位置にあるとき、加圧流体は、面取り部９０４に含まれる清浄溶媒により直接に衝突し、それにより清浄溶媒の除去を高める。
【００５６】
ファイバ光素子端面清浄装置８００の外側構造により集中し、図６ないし図８を参照して、ファイバ光素子端面清浄装置８００を構成する外部構成部品を説明する。ファイバ光素子端面清浄装置８００は、３つの別個な部分、すなわち、インターフェース部分８４４、中間部分８４６およびバッフルアクチュエータ部分８４８に細分されたハウジング８１０を有している。インターフェース部分８４４およびバッフルアクチュエータ部分８４８は、周知の留め具８４０、８４２により中間部分８４６に接合されている。インターフェース部分８４４には、インターフェースチップ８１６が連結されている。このインターフェースチップ８１６は、その挿入を許容するために、ファイバ光素子隔壁アダプタ９００（図９参照）の入口雌入力部９０６の内側寸法とほぼ同様な外側寸法を有する中空のときとき円筒形の構造体である。
【００５７】
インターフェースチップ８１６は、以下に更に詳細に論述するように、吐出される任意の流体がファイバ光素子端面上に適切に衝突するように、ファイバ光素子端面清浄装置８００内に収容された清浄溶媒送出し装置および加圧流体送出し装置の構成部品を配向するように構成されている。更に、インターフェース部分８４４のインターフェースチップ８１６または或る部分は、好ましくは、インターフェースチップ８１６または少なくともインターフェース部分８４４の一部を端面清浄装置８００から取外せるように構成されている。このように構成されると、インターフェースチップ８１６または少なくともインターフェース部分８４４の或る部分は、様々なインターフェース装置を受入れるために、容易に取外され、そして異なる形式のインターフェースチップ８１６またはインターフェース部分８４４と交換され得る。
【００５８】
図６に示される実施の形態では、インターフェースチップ８１６は、インターフェース部分８４４におけるインターフェースチップ受入れポート８１５から選択的に取出され、そして別の形状のインターフェースチップと交換され、そして端面清浄装置８００を異なる形状のインターフェース装置と関連されたファイバ光素子端面とインターフェース接続し得る。かくして、ファイバ光素子端面清浄装置８００は、ほとんど任意のインターフェース装置と適合可能であるように選択的に構成され得る。当業者には明らかなように、前述の実施の形態のみに関して、交換可能なインターフェースチップ８１６またはインターフェース部分８４４を特殊的に説明しているが、この詳細な説明内で述べる実施の形態のいずれもこの概念を組み入れ得ることは、当業者には明らかであろう。
【００５９】
中間部分８４６には、アクチュエータボタン８３４およびアクセスポート８３８が配置されている。使用者は、アクチュエータボタン８３４を押すことによって清浄方法を開始する。アクセスポート８３８、ハウジング８１０における長方形の孔により、ファイバ光素子端面清浄装置８００内に配置された押えねじ８６２への接近を許容し、その目的を以下に更に詳細に説明する。更に、アクセスポート８３８により、バッフルを伸長位置と引込み位置との間で手動で作動することができる。
【００６０】
バッフルアクチュエータ部分８４８は、名が意味するように、以下に更に詳細に説明するように、バッフルを伸長位置および引込み位置との間で選択的に位置決めするためのバッフルアクチュエータ８７０を収容している。バッフルアクチュエータ８７０の作動を細調整するためのニードル弁調整ねじ８３６が、バッフルアクチュエータ部分８４８の外面に配置されている。また、バッフルアクチュエータ部分８４８の外面には、アクセスポート８５０が配置されている。このアクセスポート８５０は、バッフルアクチュエータ８７０のようなファイバ光素子端面清浄装置８００の内部構成部品を選択するために、電気制御信号および電力を供給するための電気配線アンビリカルコード（明確には示されていない）を通すことができる。更に、アクセスポート８５０は、図１に示される溶媒管１２２および加圧流体管１２４と作動および構造がほぼ同様である加圧流体送出し管の一部および清浄溶媒送出し管（明確には示されていない）の一部をファイバ光素子端面清浄装置８００に通し入れることができる。
【００６１】
ファイバ光素子端面清浄装置８００の内部構造により集中し、図８および図９を参照して、ファイバ光素子端面清浄装置８００を構成する内部構成部品を説明する。中間部分８４６は、バッフル戻りばね室８５４と、溶媒送出し弁室８６０とで構成されている。バッフル戻りばね室８５４は、形状が円筒形であって、ファイバ光素子端面清浄装置８００を通って長さ方向に延びている。バッフル戻りばね室８５４は、バッフル戻りばね８５２を収容している。バッフル戻りばね８５２は、図８にしめされるように、引込み位置にあるバッフル８０２を付勢する。バッフル戻りばね８５２は、ばね力をロッドクランプ８６４に及ぼすことによってバッフル８０２を付勢する。このロッドクランプ８６４は、バッフル戻りばね室８５４内に往復動可能に配置されており、そしてバッフル戻りばね８５２の遠位端部に係合するばね座部８６６と、バッフルアクチュエータ８７０と連通しているアクチュエータ座部８６８とを有している。ロッドクランプ８６４は、周知の押えねじ８６２の使用によりアクチュエータロッド８７２に連結されている。
【００６２】
溶媒送出し弁室８６０が、バッフル戻りばね室８５４と隣接し且つこれと平行な配向で位置決めされている。この溶媒送出し弁室８６０は、溶媒送出し弁戻りばね８５８と、溶媒送出し弁８５６とを収容している。溶媒送出し弁戻りばね８５８は、溶媒ポート８９８からの流体圧により作動されるまで、閉位置にある溶媒送出し弁８５６を開位置へ付勢し、それによりファイバ光素子端面９０２への清浄溶媒の送出しを許容する。かくして、溶媒送出し弁は、チェック弁として作用する。当業者には明らかであるように、ここで説明する弁の構成は、電磁式、空気圧式、油圧式および機械式アクチュエータのような当業界で周知である任意の数のアクチュエータ／弁組み合わせにより置き換えられてもよい。
【００６３】
バッフルアクチュエータ部分８４８に集中すると、バッフルアクチュエータ部分８４８は、アクチュエータ室８７６を有している。このアクチュエータ室８７６は、バッフルアクチュエータ部分８４８を通って長さ方向に延びており、そしてバッフルアクチュエータ８７０を収容するように寸法決めされている。当業者には明らかなように、バッフルアクチュエータ８７０は、電磁式、空気圧式、油圧式および機械式アクチュエータのような当業界で周知である任意の数のアクチュエータから選択される。バッフルアクチュエータ８７０は、図１０に示されるような伸長位置と、図８に示されるような引込み位置との間で選択的にトグル留めされてもよい。アクチュエータ室８７６の遠位端部には、Ｏリング８７８が、中間部分８４６とバッフルアクチュエータ部分８４８との間のインターフェースのところに配置されている。このＯリング８７８は、アクチュエータ室８７６内の空気量を隔離するために耐圧性シールをもたらす。また、バッフルアクチュエータ部分８４８には、ニードル弁調整ねじ８３６が配置されている。このニードル弁調整ねじ８３６は、バッフル８０２の作動率のようなバッフルアクチュエータ８７０の作動パラメータを選択的に調整するために、製造中に操作される。
【００６４】
インターフェース部分８４４に集中すると、インターフェース部分８４４は、ファイバ光素子端面９０２および整合スリーブ８２２を部分的に包囲する保護ハウジング９２６を受入れるように寸法決めされているファイバ光素子端面の受入れ室８８０で構成されている。ファイバ光素子端面の受入れ室８８０の内壁部に形成された環状チャンネルには、周知のＯリング８８４が配置されている。このＯリング８８４は、整合スリーブ８２２の保護ハウジング９２６とファイバ光素子端面の受入れ室８８０との間のシールとして作用し、それにより保護ハウジング９２６とファイバ光素子端面の受入れ室８８０の内面との間の流体の通過を妨げる。このシールが、当業界で周知である任意の数の方法により形成されてもよいし、或いは周囲の汚染が考慮問題でないなら、省かれてもよいことは、当業者には明らかであろう。
【００６５】
図８、図９および図１２を参照して説明すると、ファイバ光素子端面の受入れ室８８０内には、バッフル８０２が配置されている。このバッフル８０２は、同心に配向された中空の円筒体８８８と一体に形成された基部分８８６で構成されている。この基部分８８６は、円筒体８８８から半径方向外方に配置された４つの脚部８１２から構成されていて、各脚部８２１が、最も近い隣接した脚部８１２から９０°、間隔を隔てられている。かくして、隣接脚部８１２間には、排気ガスの通過を許容するためのリリーフギャップ８１４が形成されている。バッフル８０２の基部分８８６は、そこに作動ロッド８７２を受入れるようになっている。バッフルアクチュエータ８７０により作動ロッド８７２を作動すると、バッフル８０２は、作動ロッド８７２により圧力が基部分８８６を経てバッフル８０２に及ぼされることによりファイバ光素子端面の受入れ室８８０内で往復的に駆動される。
【００６６】
円筒体８８８は、フレア状遠位端部８９０を有しており、このフレア状遠位端部８９０は、そのまわりに均等に間隔を隔てられた５つの長さ方向に整合された案内リブ８９２のような案内部材を有している。これらの案内リブ８９２は、隣接リブ８９２間のコネクタ９００からの除去のための流体の流れを許容しながら、端面９０２を部分的に包囲する整合スリーブ８２２内のバッフル８０２の整合を助ける。図示の実施の形態は５つの案内リブ８９２を有して示されているが、例えば、３つ、４つまたは６つのような他の数の案内リブ８９２も本発明での使用に適していることは、当業者には明らかであろう。
【００６７】
バッフル８０２の中空の円筒形通路８２６には、加圧流体ノズル８９６および清浄溶媒ノズル８９４が通っている。これらの加圧流体ノズル８９６および清浄溶媒ノズル８９４は、図２に示される加圧流体ノズル１３０および清浄溶媒ノズル１２６のものと構成および作動がほぼ同様であり、従って、ここではこれ以上、論述しない。
【００６８】
清浄溶媒通路８９９が、清浄溶媒ノズル８９４と流体連通している。この清浄溶媒通路８９９は、溶媒送出し弁８５６、溶媒ポートベント８３２、および図示されていないが、図１に示される溶媒送出し管１２２と同様な溶媒送出し管と流体連通している。溶媒ポートベント８３２は、溶媒の流通中、大気を端面清浄装置８００に入れるために大気に開放している。しかも、溶媒ポートベント８３２は、ほぼ大気圧の空気を溶媒の流れに導入することによって蒸気停滞の形成を妨げることによる溶媒の流れを助ける。溶媒の流通中に溶媒ポートベント８３２に入る空気が、フィルタ８３０によりろ過される。図示の実施の形態では、フィルタ８３０は、１ミクロン定格のガラスファイバフィルタであるが、他のフィルタも本発明における使用に適しており、更に、周囲の汚染が考慮問題でないなら、フィルタを除去してもよいことは、当業者には明らかであろう。
【００６９】
溶媒送出し弁８５６は、溶媒ポートベント８３２と清浄溶媒ノズル８９４との間で清浄溶媒通路８９９に位置決めされている。溶媒送出し弁８５６は、清浄溶媒ノズル８９４への溶媒の通過を選択的に制御する。しかも、溶媒送出し弁８５６は、清浄中に溶媒ポート８９８に加えられた流体圧力により流れ状態と無流れ状態との間に作動される。
【００７０】
図６ないし図１１に示される端面清浄層と８００のこの別の実施の形態の作動は、バッフル８０２の使用を除いて、図１および図２に示された前述の端面清浄装置の実施の形態と作動がほぼ同様である。作動が前述のものとほぼ同様であるので、ここでは、前述のものとほぼ同様な作動の面をこれ以上論述しない。バッフル８０２に関しては、このバッフルは、図８に示される引込み位置と、図９に示される伸長位置との間で作動可能である。バッフル８０２をこのように選択的に位置決めすることによって、清浄展開後にコネクタ９００に残る残留清浄溶媒の量がかなり減じられる。
【００７１】
より詳細には、図１１で最も良くわかるように、ファイバ光素子端面９０２は、前述のように、その周囲のまわりに位置決めされた面取り部９０４を有している。図示の実施の形態の引込み可能なバッフル８０２は、加圧流体の流れを面取り部９０４に集中することを助ける。かくして、バッフルが伸長位置のある状態では、加圧流体は、流路８２４に向けられて面取り部９０４に含まれる清浄溶媒により直的に衝突し、それにより清浄溶媒の存在しない加圧流体が端面９０２にあてられると、清浄展開の乾燥／溶媒除去段階中の清浄溶媒の除去を高める。
【００７２】
清浄操作中、バッフル８０２が清浄溶媒および加圧流体の流れを妨げるので、このバッフル８０２は、図９に示されるように、清浄中、これらの流体の解放された流れを許容するように、清浄溶媒および加圧流体の付与中に選択的に引っ込められてもよい。引込み可能なバッフルが示されているが、バッフルが伸長位置に堅く保持されてもよいことは、当業者には明らかであろう。更に、図示の実施の形態は、或る形状および構成のバッフルを示しているが、バッフルは多くの種々の形態をとってもよいことは、当業者には明らかであろう。例えば、バッフルは、清浄溶媒ノズル８９４を外方にフレア状にすることによって形成されてもよい。従って、バッフルが、面取り部９０４内および端面９０２を横切る流体の流れを高めるその能力により定められ、従って図８ないし図１２に示される図示の形態に限定されないことは、当業者には明らかであろう。
【００７３】
先に述べたバッフルは、面取り部９０４により保持された溶媒の量を減じるのに効果的であるが、清浄された表面に戻る溶媒の流れによりファイバ端面９０２の再汚染の問題の別の処理は、保持された流体の表面張力を増大することである。表面張力は、２番目の流体付与段階中、保持された流体が清浄化表面を横切って滲出して表面を再汚染する傾向を最小にする傾向がある水のような化学薬剤を添加することによって増大されてもよい。当業者には明らかなように、化学薬剤は、任意の適当な手段により端面上に送出されてもよい。例えば、化学薬剤は、当業者には明らかなように、溶媒源との流体連通と、化学薬剤源との流体連通との間で溶媒送出し管を単にトグル留めすることによって溶媒と同じように付与されてもよい。変更例として、化学薬剤を端面上に直接吐出するための、または化学薬剤を端面上への送り出しのための加圧流体の中に分配するための第３のノズルが、ハウジングに配置されてもよい。
【００７４】
図１３および図１４を参照して、本発明により構成されたファイバ光素子端面清浄装置１１００の別の実施の形態を以下に説明する。このファイバ光素子端面清浄装置１１００は、インターフェース装置１１０３内に少なくとも部分的に配置された光ファイバ１１０６の端面１１０４を清浄するためにインターフェース装置１１０３とインターフェース接続することが可能である。この実施の形態のファイバ光素子端面清浄装置１１００は、前述の実施の形態、最も詳細には図１および図２に示される実施の形態と作動および構造が同様である。しかしながら、図１３および図１４の端面清浄装置１１００は、これが清浄操作中には端面１１０４に係合していると言う点で前述の実施の形態とは最も著しく異なる。より詳細には、端面清浄装置１１００のノズル１１１０は、清浄操作中、ノズル１１１０から外方に延びて係合し、それにより端面１１０４およびノズル１１１０との間の所定の分離距離を維持する複数のフィンガまたは延長部１１１２を有している。流体と溶媒とを組合わせる方法も異なり、すなわち、溶媒は、ベンチュリ効果により流体蒸気の中に吸入されるのではなく、圧力下で流体蒸気の中に注入される。
【００７５】
端面清浄装置１１００は、ハウジング１１１４と、流体分配組立体１１１６と、排気組立体１１１８とを有している。ハウジング１１１４は、プラスチック、金属などのような任意の剛性または半剛性の材料で製造されている。ハウジング１１１４は、流体分配組立体１１１６および排気組立体１１１８の一部を部分的に収容する囲い体をなしている。ハウジング１１１４は、好ましくは、使用者の手により容易に握られるように構成されている。
【００７６】
また、ハウジング１１１４は、前部分１１１５を有している。この前部分１１１５は、参照符号１１１９で示されるジョイントから端面に向けて外方に延びる端面清浄装置１１００の構成部品を有している。好ましくは、ハウジングの前部分１１１５は、例えば、これをねじ付きジョイント１１１９のところでハウジングの残りの部分から解放することよってハウジング１１１４から選択的に取外され得る。取外されると、前部分１１１５は、図２０に関して示されて述べられるもののような別の形状の前部分と交換され、それにより端面清浄装置１１００を異なる形状のインターフェース装置と関連されたファイバ光素子端面とインターフェース接続することができる。かくして、ファイバ光素子端面清浄装置１１００は、ほとんど任意のインターフェース装置と適合可能であるように選択的に構成されてもよい。
【００７７】
流体分配組立体１１１６は、図１および図２に関して示された前述の清浄溶媒送出し装置１０６および加圧流体送出し装置１０８と構成および作動が同様である清浄溶媒送出し装置１１２０および加圧流体送出し装置１１２２を有している。清浄溶媒送出し装置１１２０は、溶媒を搬送するための溶媒管１１２１を有している。また、加圧流体送出し装置１１２２は、管１１２３を有しており、この管１１２３は、加圧流体を搬送するのに適している。溶媒管１１２１は、ポート１１２５を通して管１１２３に吐出する。かくして、加圧流体送出し装置１１２２の管は、ポート１１２５の下流で、流体と溶媒との混合物を搬送し、好ましくは、溶媒は、霧化されてガス状加圧流体に混合される。
【００７８】
溶媒／加圧流体送出し装置１１２０、１１２２の残りの面は、先に述べた清浄溶媒送出し装置および加圧流体送出し装置の面と同様である。従って、簡潔のために、この説明は、ここでは、図１に関して示された前述の端面清浄装置１００の溶媒／流体送出し装置１０６、１０８のような前述の溶媒／流体送出し装置とほぼ同様である端面清浄装置１１００の面を繰返さない。
【００７９】
流体分配組立体１１１６は、インターフェース部分１１２４を有している。図示の実施の形態では、このインターフェース部分１１２４は、これをインターフェース装置１１０３内で整合させるためにインターフェース装置１１０３内に協働的に受入れられるように寸法決めされ、構成されている。より詳細には、インターフェース部分１１２４は、これがインターフェース装置１１０３により受入れられると、流体分配組立体１１１６から吐出された清浄流体および溶媒が端面１１０４にあてられるように、インターフェース装置１１０３により受入れられるように寸法決めされ、構成されている。
【００８０】
図示の実施の形態の場合、インターフェース部分１１２４は、インターフェース装置１１０３の整合スリーブ１１０８の内側寸法に対応する外側寸法を有するように寸法決めされ、構成されている。それにより、インターフェース部分１１２４が整合スリーブ１１０８により協働的に受入れられると、流体分配組立体１１１６の構成部品は、それから吐出されたいずれの流体もファイバ光素子端面１１０４に衝突するように位置決めされる。
【００８１】
より詳細には、インターフェース部分１１２４は、その外面のまわりに均等に間隔を隔てられた３つの長さ方向に整合された案内リブ１１２５のような複数の案内部材を有し得る。これらの案内リブ１１２５は、インターフェース装置１１０３からの除去脱出のための隣接した案内リブ１１２５間の流体の外方の流れを許容しながら、整合スリーブ１１０８内でのインターフェース部分１１２４の整合を助ける。
【００８２】
流体分配組立体１１１６のインターフェース部分１１２４は、ノズルポート１１１０を有しており、加圧流体および溶媒の少なくとも大部分が、流体分配組立体１１１６から放出される。また、インターフェース部分１１２４は、その長さ方向軸線と平行に外方に延びている１つまたはそれ以上のフィンガまたは延長部１１１２（３つが図示されている）を有している。これらの延長部１１１２の遠位端部は、光ファイバ１１０６の端面１１０４に係合するようになっている。これらの延長部は、所定の長さ１１２６を有しており、延長部１１１２が端面１１０４に係合すると、ノズルポート１１１０は、所定の長さ１１２６だけ端面から離されている。好ましくは、所定の長さは、約０．０３８１ｃｍ（０．０１５インチ）と約０．６３５ｃｍ（０．２５インチ）との間である。
【００８３】
図示の実施の形態では、延長部１１１２が端面１１０４に係合すると、端面１１０４がファイバ光素子端面清浄装置１１００の反対の方向に（図１３を参照して右側へ）変位されるように、端面１１０４がファイバ光素子端面清浄装置１１００に向けて付勢される。かくして、端面が前述のように付勢された状態では、インターフェース装置１１０３と端面清浄装置１１００との間の分離距離のいくらかの可変性にもかかわらず、端面１１０４とノズルポート１１１０との間の分離距離が維持される。使用者は、流体分配組立体１１１６のインターフェース部分１１２４とファイバ光素子端面１１０４との間の所定の係合力を維持する。
【００８４】
図１５を参照して、本発明により構成されたファイバ光素子端面清浄装置１２００の別の実施の形態を以下に説明する。このファイバ光素子端面清浄装置１２００は、図１３に示されるインターフェース装置１１０３のようなインターフェース装置内に収容された光ファイバの端面を清浄するためにインターフェース装置とインターフェース接続することが可能である。この実施の形態のファイバ光素子端面清浄装置１２００は、２、３の例外を除いて、前述の実施の形態、最も詳細には、図１３および図１４に示される実施の形態に作動および構造が同様である。例えば、端面清浄装置１２００は、加圧流体を収容する第１の容器１２０２および溶媒を収容する第２の容器１２０４に連結するようになっている。更に、清浄組立体は、流体および溶媒を端面上への分配を制御するための制御装置１２０６を有している。
【００８５】
端面清浄装置１２００は、ハウジング１２０８を有している。このハウジングは、加圧流体容器１２０２の内容物を混合室１２１６と流体連通状態にする第１の通路１２１２を有している。また、ハウジング１２０８は、溶媒容器１２０４の内容物を混合室１２１６と流体連通状態にする第２の通路１２２０を有している。更に、ハウジングは、制御装置１２０６の構成部品の大部分を収容する制御装置孔１２１８を有している。
【００８６】
また、ハウジング１２０８は、第１の取付け装置１２１０を有しており、この第１の取付け装置１２１０は、任意の周知の手段による、例えば、ねじ連結、圧嵌めなどによる加圧流体容器１２０２の取外し可能な連結を許容するようになっている。また、ハウジング１２０８は、任意の周知の手段による、例えば、ねじ連結、圧嵌めなどによる溶媒容器１２０４の取外し可能な連結を許容するようになっている第２の取付け装置１２２２を有している。
【００８７】
制御装置１２０６は、光ファイバの端面上にあてられる加圧流体および溶媒の存続時間、順序、タイミングおよび量を選択的に制御する。制御装置１２０６は、第１および第２の通路１２１２、１２２０を選択的に遮断したり遮断解除したりすることによって加圧流体および溶媒の送出しを選択的に制御する。
【００８８】
制御装置１２０６は、加圧流体分配機構１２２４および溶媒計量機構１２２６を有している。加圧流体分配機構１２２４は、中心シャフト１２３０の第１の端部に同心に連結されたピストン１２２８を有している。図示の実施の形態ではボタンである作動機構１２３２が、中心シャフト１２３０の第２の端部に連結されている。溶媒計量機構１２２６は、円筒形の主ボディ１２３６の中心線に沿って円筒形通路１２３４を有しており、この円筒形通路１２３４は、流体分配機構１２２４の中心シャフト１２３０を往復動可能に受入れるように寸法決めされ、且つ構成されている。かくして、溶媒計量機構１２２６は、中心シャフト１２３０の長さに沿って長さ方向に摺動自在である。更に、溶媒計量機構１２２６は、その主ボディ１２３６の一端に配置されたピストン１２３８を有している。
【００８９】
１つの適当な例がばねである第１の付勢装置１２４０が、流体分配機構１２２４を図１５に示された静止位置へ参照符号１２３４で示された矢印の方向とは反対の方向に付勢している。１つの適当な例がばねである第２の付勢装置１２４２が、溶媒計量機構１２２６を図１５に示された静止位置へ参照符号１２３４で示された矢印の方向とは反対の方向に付勢している。
【００９０】
制御装置孔１２１８は、この論述の目的で、２つの部分に細分されてもよい。第１の部分１２４４は、流体分配機構１２２４のピストン１２２８および溶媒計量機構１２２６の主ボディ１２３６の外径にぴったり合うように選択された減少直径のものである。第２の部分１２４６は、溶媒計量機構１２２６のピストン１２３８の外径にぴったり合うように選択された増大直径のものである。第１および第２の部分１２４４、１２４６間の直径の差により、これらの第１および第２の部分１２４４、１２４６間の界面に段部１２５６が形成されている。
【００９１】
第２の通路１２２０に集中すると、この第２の通路１２２０は、第１のチェック弁１２４８および第２のチェック弁１２５０を有している。これらの両チェック弁１２４８、１２５０は、溶媒が溶媒容器１２０４から第２の部分１２４６へ、そして第２の部分１２４６から混合室１２１６へ移動するのを常時妨げるように、ばねのような付勢装置により弁座に接触する閉位置に付勢されているボール１２５２を備えている。更に、チェック弁１２４８、１２５０は、混合室１２１６から第２の部分１２４６へ、そして第２の部分１２４６から溶媒容器１２０４への溶媒の流れを妨げる。
【００９２】
ファイバ光素子端面清浄装置１２００の構成部品の前述の説明を考慮して、端面清浄装置の作動を以下に説明する。作動を開始するにあたり、使用者が、作動機構１２３２を参照符号１２３４で示された矢印の方向に押す。作動ボタンを矢印１２３４の方向に押すことにより、取付けられたピストンの対応する運動を引起し、第１の通路１２１２が、もはやピストン１２２８によりふさがれないようになる。かくして、加圧流体が、加圧流体容器１２０２から第１の通路１２１２を通って混合室１２１６に流入し、そして端面上に吐出される。
【００９３】
作動機構１２３２を矢印１２３４の方向に更に押すと、作動ボタン１２３２は、溶媒計量機構１２２６のピストン１２３８に接触して矢印１２３４の方向における溶媒計量機構１２２６の移動を開始する。これにより、第２の部分１２４６の溶媒計量キャビティ１２６０に収容された溶媒の圧力の上昇を引起す。溶媒計量キャビティ１２６０は、図示の実施の形態では、一端のところの段部１２５６と、対向端部のところのピストン１２３８と、制御装置孔１２１８の第２の部分１２４６のない壁部と、溶媒計量機構１２２６の主ボディ１２３６の外面とにより境界決めされた第２の部分の一部として規定されている。溶媒計量キャビティ１２６０における圧力の上昇により、第１のチェック弁１２４８のボール１２５２を上昇させてその座部から離し、溶媒を混合室１２１６に入れる。作動機構１２３２の運動が停止すると、溶媒計量キャビティ１２６０における圧力の上昇が中止し、付勢装置が、第１のチェック弁１２４８のボール１２５２をその座部まで戻して混合室１２１６への溶媒の更なる流入を妨げる。しかしながら、第１の通路１２１２がふさがれていないままであるので、圧力流体の流れは継続する。
【００９４】
混合室１２１６の中に送出される溶媒の量は、溶媒計量キャビティ１２６０の容積にほぼ等しい。好ましくは、溶媒計量キャビティ１２６０の所定の容積は、約０．０１ｍｌと約０．０５ｍｌとの間に等しく、好ましい容積は０．０２５ｍｌである。
【００９５】
作動機構１２３２が使用者により部分的に解放されると、矢印１２３４と反対の方向におけるピストン１２３８の移動により溶媒計量キャビティ１２６０に真空を生じる。この真空は、第２のチェック弁１２５０のボール１２５２を上昇させ、溶媒を溶媒計量キャビティ１２６０に吸入して、他の清浄サイクルのために端面清浄装置１２００を準備する。作動機構１２３２が使用者により完全に解放されると、流体分配機構１２２４のピストン１２２８が、第１の通路１２１２をふさいで混合室への加圧流体の流入を遮断する。
【００９６】
作動中の加圧流体および溶媒の流れのタイミングに集中すると、使用者が始めに作動機構１２３２を押すと、流体分配機構１２２４のみが移動され、第１の通路１２１２を部分的に開放する。これにより、加圧流体のみが、端面上にあてられる。作動機構１２３２が矢印１２３４の方向に更に押されると、作動機構１２３２の基部が、溶媒計量機構１２２６に接触する。これにより、溶媒計量キャビティ１２６０内に収容された溶媒の圧力の上昇を引起す。この圧力上昇により、第１のチェック弁１２４８を作動し、選択的な量の溶媒を混合室１２１６の中へ放出する。加圧流体および溶媒は、これらが混合室に沿って搬送され、端面清浄装置１２００のノズル１２５４から吐出されると、混合室において混合する。
【００９７】
選定量の溶媒が制御装置孔１２１８の第２の部分１２４６から取出され、端面上に分配されると、加圧流体の流れが継続して溶媒および汚染物を端面上から移動させたり、および／または蒸発したりし続ける。加圧流体の流れは、作動機構１２３２が完全に解放されるまで、継続する。
【００９８】
前述の方法は、端面が選定パラメータ以内まで清浄されるまで、繰返されてもよい。当業者には明らかなように、清浄操作中、端面を清浄するのに、加圧流体のみの噴流が使用されてもよい。これが満足な結果を生じるのに失敗であるなら、端面清浄装置１２００は、加圧流体および溶媒の両方を送出しように使用されてもよい。図示の実施の形態では、排気装置が示されていないが、端面清浄装置１２００は、これを有するように変更されてもよい。
【００９９】
図１６ないし図１８を参照して、本発明により構成されたファイバ光素子清浄装置１３００の別の実施の形態を以下に説明する。このファイバ光素子清浄装置１３００は、流体分配組立体１３０２を有しており、この流体分配組立体１３０２は、図１３に示される実施の形態の流体分配組立体と作動および構成がほぼ同様であり、従って、簡潔のために、ここでは、この流体分配組立体１３０２を詳細には説明しない。この実施の形態のファイバ光素子清浄装置１３００は、これが接触清浄組立体１３０４を有している点で図１３に示されるものと概して異なっている。この接触清浄組立体１３０４は、物理的接触によりファイバ光素子端面１３０６に係合してこれを清浄するようになっている。
【０１００】
より詳細には、接触清浄組立体１３０４は、インターフェース部分１３０８を有しており、このインターフェース部分１３０８は、図１３に示されるインターフェース装置１１０３のようなインターフェース装置１３１０内に受入れられるようになっている。好ましくは、インターフェース部分１３０８は、インターフェース装置１３１０の整合スリーブ１３１２内に受入れられるように寸法決めされ、且つ構成されている。
【０１０１】
接触清浄組立体１３０４は、インターフェース部分１３０８に連結された係合部材１３１４を有しており、この係合部材１３１４は、物理的接触により端面１３０６に係合し、埋設されるか或いは押付けられた汚染物のような端面１３０６の汚染物を除去するようになっている。この詳細な説明の目的で、物理的接触は、固体材料と端面上の汚染物との接触と定義される。従って、ここで定められるような物理的接触の定義は、液体またはガス単独と端面の汚染物との接触を含まない。
【０１０２】
接触清浄組立体１３０４は、駆動装置１３１８を有している。この駆動装置１３１８は、インターフェース部分１３０８または係合部材自身に連結されていて、端面１３０６に存在するいずれの汚染物をも取り払ったり、および／または除去したりするために、端面１３０６上で係合部材１３１４を移動させるように作動可能である。駆動装置１３１８は、モータまたはソレノイドのような、係合部材を移動させるための任意の適当な機構であってもよい。図示の実施の形態では、駆動装置１３１８は、光ファイバ１３２０の中心軸線とほぼ同一線上の軸線のまわりに係合部材１３１４を回転（スピン）させるように作動可能なモータである。
【０１０３】
図示の実施の形態では、係合部材１３１４は、回転的に端面に対して移動されるものとして述べているが、別の移動モードも、本発明での使用に適しており、本発明の精神および範囲内であることは、当業者には明らかであろう。例えば、駆動装置１３１８は、係合部材１３１４を線状の左右運動、軌道運動、無作為運動で端面に沿って移動させてもよいし、或いは係合部材１３１４を、光ファイバ１３２０の軸線と直交する軸線のような、光ファイバ１３２０の軸線以外の軸線においてスピンさせてもよい。更に、係合部材を移動させるための駆動装置１３１８が示されているが、係合部材１３１４が操作者により手で移動されてもよいことは、当業者には明らかであろう。
【０１０４】
図示の実施の形態では、係合部材１３１４は、端面１３０６の引掻きを妨げるために、プラスチックのような、好ましくは、端面１３０６の材料より柔らかい材料から形成された複数のブラシ用剛毛１３１６で構成されている。係合部材１３１４が、複数のブラシ用剛毛１３１６で構成されているものとして図示されて説明されているが、係合部材１３１４が、他の材料、好ましくは、繊維材料、布、発泡体などのような、端面に顕著な損傷を生じることなしに端面に接触するように実施可能な固体材料から形成されてもよいことは、当業者には明らかであろう。
【０１０５】
接触清浄組立体１３０４のインターフェース部分１３０８は、端面清浄装置１３００に取外し可能に取付けられてもよい。かくして、インターフェース部分１３０８は、取外され、そして別の形状のインターフェース装置（図示せず）内に受入れられるようになっている別の形状のインターフェース部分（図示せず）と交換され得る。同様に、係合部材１３１４は、端面清浄装置１３００に取外し可能に取付けられてもよい。かくして、係合部材１３１４は、取外され、そして別の形状のインターフェース装置（図示せず）内に受入れられるようになっている別の形状の係合部材（図示せず）と交換され得る。
【０１０６】
端面清浄装置１３００の構成部品の前述の説明を考慮して、端面清浄装置１３００の作動を以下に説明する。好ましい作動モードでは、流体分配組立体１３０２は、インターフェース装置とインターフェース接続され、そして図１３について図示され、説明された端面清浄装置１１００について述べられたように作動される。流体および溶媒の付与が汚染物すべてを端面上から除去することが不可能であった場合、端面清浄装置１３００を１８０度、回転し、接触清浄組立体１３０４をインターフェース装置とインターフェース接続すればよい。より詳細には、使用者は、係合部材１３１４が端面に係合するように、接触清浄組立体１３０４のインターフェース部分１３０８をインターフェース装置内に挿入する。係合部材１３１４の剛毛１３１６が係合して端面上に存在するいずれの汚染物をも取り払うように、係合部材１３１４を駆動装置１３１８により与えられる回転運等によって端面を横切って移動させる。次いで、接触清浄組立体１３０４をインターフェース装置から取外せばよい。次いで、流体分配組立体１３０２をインターフェース装置と再インターフェース接続し、流体および溶媒の付与により端面を清浄して接触清浄組立体１３０４を通して取り払われたいずれの汚染物をも除去する。この方法は、端面が規格内まで清浄されるまで、継続される。
【０１０７】
図１９を参照して、本発明により構成されたファイバ光素子端面清浄装置１４００の別の実施の形態を以下に説明する。このファイバ光素子端面清浄装置１４００は、流体分配組立体１４０２と、排気組立体１４０４と、接触清浄組立体１４０６と、顕微鏡１４０８のような端面検分装置とを有している。流体分配組立体１４０２が、図１３について示され、且つ説明された流体分配組立体とほぼ同様であり、接触清浄組立体１４０６が、図１６ないし図１８について示され、且つ説明された接触清浄組立体とほぼ同様であり、且つ顕微鏡１４０８が、図３および図４について示され、且つ説明された顕微鏡とほぼ同様であるので、この詳細な説明は、前述の実施の形態で先に述べられなかったこの実施の形態の構成部品間の相違点に集中するだけである。
【０１０８】
端面清浄装置１４００の顕微鏡１４０８は、使用者がファイバ光素子端面１４１２の光学的鮮明度を定めるのをたすけるためにファイバ光素子端面１４１２を検分するように、すなわち、端面１４１２が損傷されているかどうかを定めるようのように、或いは光ファイバ１４１６の性能を悪化する汚染物が端面１４１２に存在するかどうか定めるように、設計されて構成されている。顕微鏡１４０８の結像光線１４１８がインターフェース装置１４１４の端面１４１２に遮られずに達するように、顕微鏡１４０８と端面１４１２との間に障害物の無い進路が維持される。顕微鏡１４０８の光学的特徴および顕微鏡１４０８の光学的性質の一般知識が周知であるので、ここでは、顕微鏡のこれらの面をこれ以上、論述しない。
【０１０９】
流体分配組立体１４０２は、加圧流体と溶媒との混合物を収容し、図示の光ファイバコネクタのようなインターフェース装置１４１４の端面１４１２にあてるための流体通路１４１０を有している。この流体通路１４１０は、ノズルポート１４２０で終わっている。流体通路１４１０およびノズルポート１４２０は、顕微鏡１４０８により端面１４１２を検分するのを妨げたり、および／または邪魔したりしないように結像光軸１４１８の進路から外れて配置されるように位置決めされている。
【０１１０】
排気装置１４０４は、真空を収容し、端面１４１２にあてるための真空通路１４２２を有している。この真空通路１４２２はノズルポート１４２４で終わっている。真空通路１４２２およびノズルポート１４２４は、顕微鏡１４０８により端面１４１２を検分するのを妨げたり、および／または邪魔したりしないように結像光軸１４１８の進路から外れて配置されるように位置決めされている。
【０１１１】
図示の実施の形態では、接触清浄組立体１４０６は、作動部材１４２８を有している。この作動部材１４２８は、細長いアームから構成されており、この細長いアームの遠位端部には、係合部材１４２６が配置されている。作動部材１４２８は、これが実線で示されている第１の位置と、作動部材１４２８が仮想で示されている第２の位置との間に構成可能である。
【０１１２】
第１の位置では、作動部材１４２８は、接触清浄組立体１４０６が顕微鏡１４０８の結像光軸１４１８から離れる方向に変位されるように配置される。従って、作動部材１４２８が第１の位置にあるとき、接触清浄組立体１４０６は、顕微鏡１４０８により端面１４１２を検分するのを妨げたり、および／または邪魔したりしないように結像光軸１４１８の進路から外れて配置される。
【０１１３】
第２の位置では、作動部材１４２８は、接触清浄組立体１４０６の係合部材１４２６が端面１４１２からの汚染物の除去を助けるために端面１４１２に物理的に接触するように、この係合部材１４２６が端面１４１２と係合状態であるように配置される。作動部材１４２８は、当業界で周知の手段により、例えば、電気的、空気式、機械式または他の種類のアクチュエータにより、或いは使用者による手動操作により第１の位置と第２の位置との間で作動されてもよい。
【０１１４】
接触清浄組立体１４０６は、係合部材１４２６を有しており、この係合部材１４２６は、物理的接触により端面１４１２に係合して汚染物を端面１４１２から除去するようになっている。係合部材１４２６は、端面１４１２に顕著な損傷を生じることなしに端面に接触するように作動可能な任意の材料であってもよい。図１６ないし図１８に示される実施の形態について説明したように、接触清浄組立体１４０６は、端面１４１２に存在するいずれの汚染物をも取り払ったり、および／または除去したりするために端面１４１２上で係合部材１４２６を移動させるように作動可能な駆動装置（図示せず）を有してもよい。図示の実施の形態では、この駆動装置は、光ファイバの端面を横切って係合部材を移動させるように作動可能である。
【０１１５】
図示の実施の形態では、係合部材１４２６は、端面を横切って移動されるものとして述べられているが、別の移動モードも、図示の実施の形態での使用に適しており、本発明の精神および範囲内であることは、当業者には明らかであろう。例えば、駆動装置は、係合部材１４２６を左右運動、線状運動、回転運動、軌道運動、無作為運動で端面に沿って移動させてもよいし、或いは係合部材１４２６を、光ファイバ１３２０の軸線と直交する軸線のような、光ファイバ１３２０と平行なの軸線以外の軸線においてスピンさせてもよい。変更例として、係合部材１４２６は、手で操作されてもよい。
【０１１６】
図示の実施の形態では、係合部材１４２６は、プラスチックのような、好ましくは端面１４１２の材料より柔らかい材料から形成された複数のブラシ用剛毛で構成されている。係合部材１４２６は、複数のブラシ用剛毛で構成されているものとして図示され、説明されているが、他の材料、好ましくは、繊維質材料、布、発泡体、固体材料などのような非研磨材料から形成されてもよいことは、明らかであろう。
【０１１７】
作動において、好ましい使用方法は、端面がきれいになるまで、清浄操作の攻撃性を着実に増大することである。例えば、使用者は、まず、端面が清浄を必要としているかどうかを定めるために端面を検査する。端面が清浄を必要としていないならば、いずれの汚染物をも端面上から除去するのを試みるために、真空を付与すればよい。これが上首尾でないならば、端面を清浄する更なる試みにおいて、加圧流体のみの噴流を付与すればよい。これが上首尾でないならば、端面を清浄するために溶媒が混入された流体の噴流を付与すればよい。これが上首尾でないならば、係合部材を作動して端面に係合させ、流体および／または溶媒を同行して、或いは流体および／または溶媒を同行することなしに端面を清浄すればよい。このようにして清浄操作を行うことにより、端面を清浄するために最少侵入式の清浄レジームが使用される。好適な使用方式を説明し、示したが、端面を清浄する方式が、本発明の精神および範囲から逸脱することなしに前述の好適な清浄方式から逸脱してもよいことは、当業者には明らかであろう。例えば、使用者は、段階的アプローチを辿らなくてもよく、清浄方法における初期の工程として流体、溶媒、真空および係合部材を同時に付与し得る。
【０１１８】
図２０を参照して、本発明により構成されたファイバ光素子端面清浄装置１５００の別の実施の形態を以下に説明する。この端面清浄装置１５００は、図１３および図１４について示され、説明された端面清浄装置とほぼ同様であるので、詳細な説明は、先に説明しなかったこの実施の形態の構成部品間の相違点に集中するだけである。一般に、これらの相違点は、端面清浄装置１５００をインターフェース装置（図示せず）から取外すことなしに２つのファイバ光素子端面（図示せず）に同時に或いは次々に係合してこれらの端面を清浄するための多数のノズルポート１５０２、１５０４を有することを含んでいる。更に、これらのノズルポート１５０２、１５０４は、図示の実施の形態ではばねである付勢装置１５０６により端面に向けて付勢される。
【０１１９】
図１および図２０を参照して説明すると、図２０の端面清浄装置１５００は、図１に示されるインターフェース装置のような、複数の端面を有するインターフェース装置とインターフェース接続するようになっており、このインターフェース装置は、ファイバ光素子隔壁アダプタ２００と、一対のファイバ光素子コネクタ２１４、２１６とを有している。より詳細には、この端面清浄装置１５００の流体分配組立体１５０８は、インターフェース装置内に配置された端面の各々に同時に係合して加圧流体および溶媒を分配するようになっている。これを達成するために、この端面清浄装置は、インターフェース装置１５１０が第１のインターフェース部分１５１０Ａおよび第２のインターフェース部分１５１０Ｂを有するように、分岐されたインターフェース部１５１０を有している。第１のインターフェース部分１５１０Ａは、ファイバ光素子隔壁アダプタ２００の第１の雌入力部２０４により受入れられるように構成されており、第２のインターフェース部分１５１０Ｂは、ファイバ光素子隔壁アダプタ２００の第２の雌入力部２０６により受入れられるように構成されている。かくして、作動中、雌入力部２０４、２０６の各々内に収容された端面は、同時に清浄され得る。
【０１２０】
図２０の端面清浄装置の流体分配組立体１５０８は、２つのノズルポート１５０２、１５０４を有するものとして示され、説明されるが、変更例として、端面清浄装置１５００が、１およびもっと大きいすべての数を含めて、任意の数のノズルポートを有してもよいことは、当業者には明らかであろう。更に、図２０の端面清浄装置は、両端面を同時に清浄するものとして示され、説明されるが、この端面清浄装置は、適切には、本発明の精神および範囲を逸脱することなしに、端面を同時にではなく次々に清浄するようになっていてもよいことは明らかである。
【０１２１】
図示の実施の形態では、インターフェース部１５１０は、ノズルポート１５０２、１５０４の延長部１５１２が端面に係合すると、インターフェース部１５１０が端面清浄装置１５００の方向、すなわち、端面から離れる方向に変位されるように、ファイバ光そり端面に向けて外方に付勢される。かくして、この構成では、端面とノズルポート１５０２との間の分離距離は、インターフェース装置と端面清浄装置１５００との間の移動にもかかわらず、維持される。更に、端面との延長部１５１２の係合中、流体分配組立体１５０８のインターフェース部１５１０とファイバ光素子端面との間の選定の係合力が維持される。かくして、これは、とりわけ、延長部１５１２が過剰の力を端面に及ぼすことにより端面に対する損傷を妨げるのを助ける。図示の実施の形態では、インターフェース部１５１０は、ばね１５０６により端面に向けて付勢されており、このばねは、端面清浄装置１５００のハウジング１５１４の一部とインターフェース部１５１０の基部との間に延びている。しかしながら、別の付勢手段も、本発明での使用に適しており、本発明の精神および範囲内であることは、当業者には明らかであろう。
【０１２２】
図２１を参照して、本発明により構成された前部分１６００の別の実施の形態を以下に説明する。この前部分１６００は、図１３について示され、説明された端面清浄装置１１００のねじ付きジョイント１１１９に取外し可能に取付けるのに適している。前部分１６００は、複数の光ファイバ１６３６と関連された複数のファイバ光素子端面を清浄するようになっている。これらの光ファイバ１６３６は、インターフェース装置１６０４と関連されたリボンコネクタ１６０８内に部分的に収容されており、このインターフェース装置もまた、隔壁アダプタ１６０６を有している。前部分１６００が、図１３および図１４について示され、説明された端面清浄装置の前部分１１１５と作動および構造がほぼ同様であるので、この詳細な説明は、前述の実施の形態で先に述べられなかったこの実施の形態の構成部品間の相違に集中するだけである。
【０１２３】
一般に、これらの相違は、インターフェース装置１６０４内に配置されたリボンコネクタ１６０８と関連されたファイバ光素子端面（図示せず）を清浄するための流体分配組立体のインターフェース部分１６１０の変更を含む。より詳細には、周知のリボンコネクタ１６０８は、複数のファイバ光素子端面が中に配置された「平らな」または矩形のフェルール１６１４を有している。流体分配組立体のインターフェース部分１６１０は、フェルール１６１４の遠位端部に近接して終わるようになっている協働的形状の先端部分１６１６を有している。より詳細には、この先端部分１６１６は、フェルール１６１４の遠位端部から約１０００分の５０ｃｍ（１０００分の２０インチ）のところの配置されたノズル１６２２で終わっていて、フェルール１６１４の遠位端部１６１８と先端部分１６１６との間にギャップ１６２６を生じている。ギャップ１６２６により形成されるほぼ１０００分の５０ｃｍ（１０００分の２０インチ）の分離距離は、コネクタ１６０８に係合する２つのポスト１６３０により維持される。
【０１２４】
リボンコネクタ１６０８は、それから外方の延びている２つの整合ピン１６３２を有してもよい。インターフェース部分１６１０は、これらの整合ピン１６３２を受入れるようになっている２つのピン受入れ部分１６３４を有してもよい。更に、インターフェース部分１６１０は、先端部分１６１６のまわりに配置された真空通路１６２４を有してもよい。この真空通路１６２４は、流体分配組立体１６１２によりノズル１６２２から分配される加圧流体および溶媒の少なくとも一部がギャップ１６２６を通り、そして２つのポスト１６３０を通り過ぎて流れることにより真空通路１６２４に入るように、周知の真空源（図示せず）に連結されている。加圧流体および溶媒の流路は、参照符号１６２８により示される矢印により示されている。
【０１２５】
本発明の或る態様が示され、図示された前述の特定の実施の形態と関連されているが、１つの図示の実施の形態の態様が、適用されてもよく、他の実施の形態での使用に適していることは、当業者には明らかであろう。例えば、前述の実施の形態のうちのいずれも、顕微鏡、接触清浄組立体、排気装置、交換可能なインターフェース部分、付勢されたインターフェース部分、多数のインタエーフェース部分を有し、種々のよう倍および加圧流体を使用し、取外し可能な加圧流体容器および／または溶媒容器などを有するようになっていてもよい。同様に、図示された前述の実施の形態が或る態様を有するものとして示されているが、これらの実施の形態が、或る前述の態様なしに、例えば、顕微鏡、接触清浄組立体、排気装置、交換可能なインターフェース部分、付勢されたインターフェース部分、多数のインターフェース部分、取外し可能な加圧流体容器および／または溶媒容器などを設けることなしに適切に作動されてもよいことは明らかであろう。
【０１２６】
本発明の好適な実施の形態を示して説明したが、本発明の精神および範囲を逸脱することなしに種々の変更例を行なうことができることはわかるであろう。
【図面の簡単な説明】
【０１２７】
【図１】２つのコネクタが連結されたファイバ光素子隔壁アダプタを示していて、これに収容されたファイバ光素子ケーブルの端面とインターフェース接続してこれらの端面を清浄するように作動可能である本発明により構成されたファイバ光素子端面清浄装置の１つの実施の形態の斜視図である。
【図２】図１に示された、隔壁アダプタ内に挿入されたファイバ光素子端面清浄装置と、隔壁アダプタと、ファイバ光素子コネクタとを示す平面部分断面図である。
【図３】ファイバ光素子コネクタとインターフェース接続して示され、顕微鏡が受入れられている本発明により構成されたファイバ光素子端面清浄装置の別の実施の形態の平面立面図である。
【図４】図３に示されるファイバ光素子端面清浄装置の別の実施の形態の頭部分の部分詳細図である。
【図５】ファイバ光素子端面を点検するための顕微鏡を更に有する本発明により構成されたファイバ光素子端面清浄装置の他の別の実施の形態の平面立面図である。
【図６】選択的に取付け可能な２つの交換可能なインターフェースチップのうちの一方を有するインターフェース部分を示している、本発明により構成されたファイバ光素子端面清浄装置の更に他の別の実施の形態の分解斜視図である。
【図７】突出しているニードル弁調整ねじを有するバッフルアクチュエータ部分を示している、図６に示されたファイバ光素子端面清浄装置の別の実施の形態の斜視図である。
【図８】ファイバ光素子隔壁アダプタに連結された図６に示されたファイバ光素子端面清浄装置の一部と、ファイバ光素子コネクタとが横断面で示され、引込み位置に示されたバッフルを現している、ファイバ光素子端面清浄装置の別の実施の形態の側面図である。
【図９】引込み位置にあるバッフルの拡大斜視図を示す図８の別の実施の形態の部分横断面図である。
【図１０】ファイバ光素子隔壁アダプタに連結された図６に示されたファイバ光素子端面清浄装置の一部およびファイバ光素子コネクタが横断面で示され、バッフルを伸張位置に現しているファイバ光素子端面清浄装置の別の実施の形態の側面図である。
【図１１】伸張位置にあるバッフルの拡大斜視図を示す図８の別の実施の形態の部分横断面図である。
【図１２】図８に示されたバッフルの斜視図である。
【図１３】インターフェース装置と係合された状態の本発明により構成されたファイバ光素子端面清浄装置の別の実施の形態の立面図である。端面清浄装置に収容された流体分配組立体を示すために、端面清浄装置のハウジングの一部が除去されており、流体分配組立体の一部および整合スリーブが横断面で示されている。
【図１４】図１３に示された流体分配組立体の遠位端部の斜視図である。
【図１５】本発明により構成されたファイバ光素子端面清浄装置の別の実施の形態を示している、端面清浄装置の中心線に沿った横断面である。
【図１６】第１の方向に面した流体分配組立体と、反対方向に面した接触清浄組立体とを有する本発明により構成されたファイバ光素子端面清浄装置の別の実施の形態の立面図である。
【図１７】横断面で示されるファイバ光素子端面と、整合スリーブと、接触清浄組立体の一部とを現すために一部が除去されたインターフェース装置の整合スリーブ内に配置されたファイバ光素子端面に係合する図１６の接触清浄組立体の係合部材の立面図である。
【図１８】図１６および図１７に示された接触清浄組立体の係合部材の斜視図である。
【図１９】接触清浄組立体と、流体分配組立体と、排気組立体と、顕微鏡とを有しているファイバ光素子端面清浄装置をインターフェース装置に関して示しているファイバ光素子端面清浄装置の別の実施の形態の斜視図である。
【図２０】２つの端面が収容されたインターフェースを清浄するようになっている本発明により構成されたファイバ光素子端面清浄装置の前部分であって、図１３に示される端面清浄組立体の前部分と選択的に交換可能であるようになっている前部分の別の実施の形態の立面図である。この前部分に収容された流体分配組立体を示すために前部分の一部が除去されており、流体分配組立体の一部が横断面で示されている。
【図２１】リボンコネクタを清浄するようになっている本発明により構成されたファイバ光素子端面清浄装置の前部分であって、図１３に示される端面清浄組立体の前部分と選択的に交換可能であるようになっている前部分の別の実施の形態の立面図である。この前部分に収容された流体分配組立体を示すために前部分の一部が除去されており、流体分配組立体の一部とリボンフェルールとが横断面で示されている。
【図１】
2005533293.tif 000003
【図２】
2005533293.tif 000004
【図３】
2005533293.tif 000005
【図４】
2005533293.tif 000006
【図５】
2005533293.tif 000007
【図６】
2005533293.tif 000008
【図７】
2005533293.tif 000009
【図８】
2005533293.tif 000010
【図９】
2005533293.tif 000011
【図１０】
2005533293.tif 000012
【図１１】
2005533293.tif 000013
【図１２】
2005533293.tif 000014
【図１３】
2005533293.tif 000015
【図１４】
2005533293.tif 000016
【図１５】
2005533293.tif 000017
【図１６】
2005533293.tif 000018
【図１７】
2005533293.tif 000019
【図１８】
2005533293.tif 000020
【図１９】
2005533293.tif 000021
【図２０】
2005533293.tif 000022
【図２１】
2005533293.tif 000023
【手続補正書】
【提出日】平成17年3月25日(2005.3.25)
【手続補正１】
【補正対象書類名】特許請求の範囲
【補正対象項目名】全文
【補正方法】変更
【補正の内容】
【特許請求の範囲】
【請求項１】
光ファイバの一部がインターフェース装置内に収容されている、光ファイバの端面を清浄するための清浄装置であって、
ノズル組立体を具備しており、ノズル組立体は、これがインターフェース装置によって受入れられている時、端面に近接して位置決めされ、端面上の汚染物の除去を助けるために、前記端面上に液体を送出するように適応され、また、端面上から液体の除去を助けるために、ほとんど液体の含まれていないガスを送出するように適応されている清浄装置。
【請求項２】
前記ノズル組立体は、端面上の汚染物の除去を助けるために、最初に、端面上に液体とガスとを同時に送出し、続いて端面上からの液体の除去を助けるために、ほとんど液体の含まれていないガスを送出するように適応されている請求項１に記載の清浄装置。
【請求項３】
前記液体は、前記液体とガスとが、前記ノズル組立体を通って同時に送出される時に、ガス内で霧状にされる請求項２に記載の清浄装置。
【請求項４】
前記ノズル組立体は、端面上の汚染物の除去を助けるために、最初に、前記端面上にほとんど液体の含まれていないガスを送出し、続いて端面上から液体の除去を助けるために、ほとんど液体の含まれていないガスを送出するように適応されている請求項１に記載の清浄装置。
【請求項５】
前記ノズル組立体を通る液体を選択的に制御するように動作可能な制御システムをさらに具備し、この制御システムは、液体が、前記ノズル組立体を通って送出することを可能にしている第１の位置と、ガスがノズル組立体から送出されることを可能にしている間に、液体が、ノズル組立体を通って送出されるのを防止している第２の位置とを有している請求項１に記載の清浄装置。
【請求項６】
前記ノズル組立体に連結され、ノズル組立体が、前記インターフェース装置によって受入れられている時、前記端面に近接して位置決めされる排気ポートをさらに具備し、この排気ポートは、負圧が前記端面の清浄中に、端面上に適用され得るように、真空源に連結されるように適応されている請求項１に記載の清浄装置。
【請求項７】
前記ノズル組立体は、ノズル組立体のチップから外方に延びている少なくとも１つの延長部を備えており、この延長部の遠位端部は、前記ノズル組立体が、ノズル組立体のチップと端面との間の、選択された離間距離を減じるのを助けるために、前記インターフェース装置により受入れられると、前記端面に係合する、請求項１に記載の清浄装置
【請求項８】
前記離間距離は、約０．０３８１ｃｍ（０．０１５インチ）ないし約０．６３５ｃｍ（０．２５インチ）である、請求項７に記載の清浄装置。
【請求項９】
前記ノズル組立体は、取り付け可能なチップを有しており、この取付け可能なチップは、取外され、ノズル組立体を別の形状のインターフェース装置によって受けさせるように、別の形状の取付け可能なチップと置き換え可能である請求項１に記載の清浄装置。
【請求項１０】
前記ノズル組立体と連通しており、予め設定された量の液体を、前記ノズル組立体を通って送出し、続いて、前記端面上から液体を排除して乾燥させるように、液体をほとんど含まないガスを、前記ノズル組立体を通って送出させるように動作可能な、測量メカニズムをさらに具備している請求項１に記載の清浄装置。
【請求項１１】
顕微鏡用の検分孔を更に有しており、この顕微鏡の検分孔は、前記ノズル組立体に連結されており、顕微鏡により、顕微鏡の検分孔を介して、前記端面を検分可能なように適応されている、請求項１に記載の清浄装置。
【請求項１２】
前記ノズル組立体に連結された顕微鏡をさらに具備し、この顕微鏡は、前記端面を検分するように適応されている請求項１に記載の清浄装置。
【請求項１３】
前記インターフェース装置は、整合スリーブを有し、前記ノズル組立体は、この整合スリーブ内に少なくとも部分的に受入れられるように構成されたサイズである請求項１に記載の清浄装置。
【請求項１４】
前記ノズル組立体に連結され、前記ノズル組立体がインターフェース装置によって受入れられると、端面に近接して位置決めされるバッフルを更に有しており、このバッフルは、前記端面上のガスと液体との少なくとも一方を端面上に向けるように適応されている、請求項１に記載の清浄装置。
【請求項１５】
前記ノズル組立体に連結された接触清浄組立体を更に有しており、この接触清浄組立体は、物理的接触により端面に係合して端面上の汚染物を除去するように適応されている係合部材を有している、請求項１に記載の清浄装置。
【請求項１６】
前記接触清浄組立体は、前記端面上の汚染物を除去するために、端面上で前記係合部材を移動させるように適応されている請求項１５に記載の清浄装置。
【請求項１７】
前記ノズル組立体は、複数のノズルを有しており、これらノズルは、複数の光ファイバの端面上に、液体とガスとを同時に送出するように適応されている請求項１に記載の清浄装置。
【請求項１８】
前記ノズル組立体と前記端面との間で接触が生じた時に、このノズル組立体の少なくとも一部の付勢力が勝って、このノズル組立体の一部が、清浄装置に対して移動するように、端面に向けてノズル組立体の一部を少なくとも付勢するための付勢装置を更に具備している、請求項１に記載の清浄装置。
【請求項１９】
前記ノズル組立体に連結された第１の取付け装置を更に具備しており、この第１の取付け装置は、前記ノズルへの加圧ガス容器の選択的連結を許容するように適応されている請求項１に記載の清浄装置。
【請求項２０】
前記ノズル組立体に連結された第２の取付け装置を更に具備しており、前記ノズル組立体への溶媒容器の選択的連結を許容するように適応されている請求項１９に記載の清浄装置。
【請求項２１】
選定された体積の液体を保持するための計量キャビティと、この選定された体積の液体を、前記端面上に、選択的に解放させるための解放装置とを更に具備している請求項１の清浄装置。
【請求項２２】
前記選定された体積は、約０．０１ｍｌないし約０．０５ｍｌである請求項２１に記載の清浄装置。
【請求項２３】
前記ノズル組立体を通って送出されたガスは、溶媒をベンチュリ効果によりノズル組立体を通して吐出させるように適応されている請求項１に記載の清浄装置。
【請求項２４】
前記ノズル組立体は、前記ノズルのチップから、液体とガスとの少なくとも一方を排出するためのノズルを有しており、このノズルのチップは、ノズル組立体が、前記インターフェース装置によって受けられた時に、前記端面から約０．０３８１ｃｍ（０．０１５インチ）ないし約０．６３５ｃｍ（０．２５インチ）にあるように適応されている請求項１に記載の清浄装置。
【国際調査報告】
2005533293.tif 000024